(57)【要約】  初回送信のＭｅｓｓａｇｅ３に関して、通常の送達確認情報を送信する代わりに、ＮＡＣＫの場合に、再送のＭｅｓｓａｇｅ３のためのＵＬ  Ｓｃｈｅｄｕｌｉｎｇ  Ｇｒａｎｔを送信し、ＡＣＫの場合に、何も送信しないという処理を適用することにより、ランダムアクセス手順におけるＭｅｓｓａｇｅ３のＨＡＲＱを、効率良く、かつ、品質を保証して適用することができる。
2008096627.tif 000002
【特許請求の範囲】
【請求項１】
移動局と、前記移動局と通信を行う基地局装置とを具備する無線通信システムにおける基地局装置であって：
前記移動局は前記基地局装置に第１の信号を送信し、
前記第１の信号を復号する復号手段；
前記第１の信号の復号結果に基づいて、前記第１の信号を正常に受信しなかった場合に、前記第１の信号の再送のための制御信号を前記移動局に送信する手段；
前記第１の信号の復号結果に基づいて、前記第１の信号を正常に受信した場合に、第２の信号を前記移動局に送信する手段；
備えることを特徴とする基地局装置。
【請求項２】
請求項１に記載の基地局装置において：
前記第１の信号はランダムアクセス手順におけるＭｅｓｓａｇｅ３であり、
前記第２の信号はランダムアクセス手順におけるＭｅｓｓａｇｅ  ４であることを特徴とする基地局装置。
【請求項３】
請求項１に記載の基地局装置において：
前記制御信号は、下りリンクの制御チャネルにマッピングされるＵＬ  Ｇｒａｎｔであることを特徴とする基地局装置。
【請求項４】
請求項３に記載の基地局装置において：
前記ＵＬ  Ｇｒａｎｔとは、上りリンクの周波数リソースの割り当て情報、識別情報、データサイズ、変調方式、送信電力の少なくとも１つを示す信号であることを特徴とする基地局装置。
【請求項５】
請求項１に記載の基地局装置において：
前記移動局が前記基地局装置に第１の信号を再送し、
前記再送された第１の信号に対する送達確認情報を前記移動局に送信することを特徴とする基地局装置。
【請求項６】
移動局と、前記移動局と通信を行う基地局装置とを具備する無線通信システムにおける移動局であって：
前記基地局装置に第１の信号を送信する手段；
前記基地局装置から、前記第１の信号の再送のための制御信号を受信した場合に、前記第１の信号を再送する手段；
前記基地局装置から、前記第１の信号の再送のための制御信号を受信しなかった場合に、第２の信号を受信する手段；
を備えることを特徴とする移動局。
【請求項７】
請求項６に記載の移動局において：
前記基地局装置から、前記第１の信号の再送のための制御信号を受信しなかった場合で、かつ、前記第２の信号を受信しなかった場合に、前記第３の信号を送信する手段；
を備えることを特徴とする移動局。
【請求項８】
請求項７に記載の移動局において：
前記第１の信号はランダムアクセス手順におけるＭｅｓｓａｇｅ３であり、
前記第２の信号はランダムアクセス手順におけるＭｅｓｓａｇｅ４であり、
前記第３の信号はランダムアクセス手順におけるＭｅｓｓａｇｅ１であることを特徴とする移動局。
【請求項９】
請求項６に記載の移動局において：
前記制御信号は、下りリンクの制御チャネルにマッピングされるＵＬ  Ｇｒａｎｔであることを特徴とする移動局。
【請求項１０】
請求項９に記載の移動局において：
前記ＵＬ  Ｇｒａｎｔとは、上りリンクのリソースブロックの割り当て情報、識別情報、データサイズ、変調方式、送信電力の少なくとも１つを示す信号であることを特徴とする移動局。
【請求項１１】
請求項６に記載の移動局において：
前記基地局装置に第１の信号を再送した場合に、前記第１の信号に対する送達確認情報を受信する手段；
を備えることを特徴とする移動局。
【請求項１２】
移動局と、前記移動局と通信を行う基地局装置とを具備する無線通信システムであって：
前記移動局は、
前記基地局装置に第１の信号を送信する手段；
前記基地局装置から、前記第１の信号の再送のための制御信号を受信した場合に、前記第１の信号を再送する手段；
を備え、
前記基地局は、
前記第１の信号を復号する復号手段；
前記第１の信号の復号結果に基づいて、前記第１の信号を正常に受信しなかった場合に、前記第１の信号の再送のための制御信号を前記移動局に送信する手段；
を備えることを特徴とする移動通信システム。
【請求項１３】
移動局と、前記移動局と通信を行う基地局装置とを具備する無線通信システムにおける通信制御方法であって：
前記移動局が前記基地局装置に第１の信号を送信する第１のステップ；
前記基地局装置が、前記第１の信号を復号する第２のステップ；
前記基地局装置が、前記第１の信号の復号結果に基づいて、前記第１の信号を正常に受信しなかった場合に、前記第１の信号の再送のための制御信号を前記移動局に送信する第３のステップ；
前記移動局が、前記第１の信号の再送のための制御信号を受信した場合に、前記第１の信号を再送する第４のステップ；
を有することを特徴とする通信制御方法。
【請求項１４】
移動局と、前記移動局と通信を行う基地局装置とを具備する無線通信システムであって：
前記移動局は、
前記基地局装置に第１の信号を送信する手段；
前記第１の信号を再送する手段；
を備え、
前記基地局装置は、
前記第１の信号を復号する復号手段；
前記第１の信号の復号結果に基づいて、前記第１の信号を正常に受信した場合に、第２の信号を送信する手段；
を備え、
前記再送する手段は、前記第２の信号を受信するまで、前記第１の信号を再送することを特徴とする移動通信システム。
【請求項１５】
請求項１４に記載の移動通信システムにおいて：
前記第１の信号はランダムアクセス手順におけるＭｅｓｓａｇｅ３であり、
前記第２の信号はランダムアクセス手順におけるＭｅｓｓａｇｅ４であることを特徴とする移動通信システム。
【発明の詳細な説明】
【技術分野】
【０００１】
本発明は、無線通信システムに関し、特に基地局装置、移動局、無線通信システム及び通信制御方法に関する。
【背景技術】
【０００２】
Ｗ−ＣＤＭＡやＨＳＤＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＬＴＥは、上りリンク、下りリンクともに１つないし２つ以上の物理チャネルを複数の移動局で共有して通信を行うシステムである。上記複数の移動局で共有されるチャネルは、一般に共有チャネルと呼ばれ、ＬＴＥにおいては、上りリンクにおいては上り共有物理チャネル（Ｐｈｙｓｉｃａｌ  Ｕｐｌｉｎｋ  Ｓｈａｒｅｄ  Ｃｈａｎｎｅｌ  ：ＰＵＳＣＨ）であり、下りリンクにおいては下り共有物理チャネル（Ｐｈｙｓｉｃａｌ  Ｄｏｗｎｌｉｎｋ  Ｓｈａｒｅｄ  Ｃｈａｎｎｅｌ：  ＰＤＳＣＨ）である。【０００６】
そして、上述したような共有チャネルを用いた通信システムにおいては、サブフレーム（Ｓｕｂ−ｆｒａｍｅ）（ＬＴＥでは１ｍｓ）毎に、どの移動局に対して上記共有チャネルを割り当てるかをシグナリングする必要があり、上記シグナリングのために用いられる制御チャネルは、ＬＴＥでは、物理下りリンク制御チャネル（Ｐｈｙｓｉｃａｌ  Ｄｏｎｗｌｉｎｋ  Ｃｏｎｔｒｏｌ  Ｃｈａｎｎｅｌ）または、Ｄｏｗｎｌｉｎｋ  Ｌ１／Ｌ２  Ｃｏｎｔｒｏｌ  Ｃｈａｎｎｅｌ（ＤＬ  Ｌ１／Ｌ２  Ｃｏｎｔｒｏｌ  Ｃｈａｎｎｅｌ）と呼ばれる。また、物理下りリンク制御チャネルは、送信電力制御用のコマンドや上りリンクの共有チャネルに対する送達確認情報等の通知のためにも用いられる。【０００７】
上記物理下りリンク制御チャネルの情報には、例えば、ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ）、ダウンリンクスケジューリンググラント（ＤＬ  Ｓｃｈｅｄｕｌｉｎｇ  Ｇｒａｎｔ）、Ａｃｋｎｏｗｌｅｄｇｅｍｅｎｔ  ｉｎｆｏｒｍａｔｉｏｎ（ＡＣＫ／ＮＡＣＫ）、アップリンクスケジューリンググラント（ＵＬ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が含まれる（例えば、非特許文献２参照）。また、上記ＤＬ  Ｓｃｈｅｄｕｌｉｎｇ  Ｇｒａｎｔには、例えば、下りリンクの共有チャネルに関する、下りリンクのリソースブロック（Ｒｅｓｏｕｒｃｅ  Ｂｌｏｃｋ）の割り当て情報、ＵＥのＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。また、上記ＵＬ  Ｓｃｈｅｄｕｌｉｎｇ  Ｇｒａｎｔには、例えば、上りリンクの共有チャネルに関する、上りリンクのＲｅｓｏｕｒｃｅ  Ｂｌｏｃｋの割り当て情報、ＵＥのＩＤ、データサイズ、変調方式、上りリンクの送信電力情報、Ｕｐｌｉｎｋ  ＭＩＭＯにおけるデモジュレーションレファレンスシグナル（Ｄｅｍｏｄｕｌａｔｉｏｎ  Ｒｅｆｅｒｅｎｃｅ  Ｓｉｇｎａｌ）の情報等が含まれる。【０００８】
また、ＬＴＥでは、上述した共有チャネルを用いた通信において、ＭＡＣ  ｌａｙｅｒにおいてＨＡＲＱが適用される。例えば、下りリンクに関しては、移動局は、下りリンクの共有チャネルの復号を行い、その復号結果（ＣＲＣ  ｃｈｅｃｋ結果）に基づいた送達確認情報Ａｃｋｎｏｗｌｅｄｇｅｍｅｎｔ  ｉｎｆｏｒｍａｔｉｏｎを上りリンクの制御チャネルを用いて、基地局装置に送信する。そして、基地局装置は、送達確認情報の内容に応じて再送制御を行う。送達確認情報の内容は、送信信号が適切に受信されたことを示す肯定応答(ＡＣＫ)又はそれが適切に受信されなかったことを示す否定応答(ＮＡＣＫ)の何れかで表現される。一方、上りリンクに関しては、基地局装置は、上りリンクの共有チャネルの復号を行い、その復号結果（ＣＲＣ  ｃｈｅｃｋ結果）に基づいた送達確認情報Ａｃｋｎｏｗｌｅｄｇｅｍｅｎｔ  ｉｎｆｏｒｍａｔｉｏｎを下りリンクの制御チャネルを用いて、移動局に送信する。そして、移動局は、送達確認情報の内容に応じて再送制御を行う。送達確認情報の内容は、送信信号が適切に受信されたことを示す肯定応答(ＡＣＫ)又はそれが適切に受信されなかったことを示す否定応答(ＮＡＣＫ)の何れかで表現される。【０００９】
図１に、上りリンクにおけるＨＡＲＱの処理の一例を示す。１９０２（サブフレーム＃ｉ）（ｉは、ｉ＞０の整数）において、基地局装置は、物理下りリンク制御チャネルにおけるＵＬ  Ｓｃｈｅｄｕｌｉｎｇ  Ｇｒａｎｔを用いて、移動局に、サブフレーム＃ｉ＋３において、上りリンクの共有チャネルを用いた通信を行うことを指示する。そして、１９０４（サブフレーム番号＃ｉ＋３）において、移動局は、基地局装置に対して、上りリンクの共有チャネルを送信し、基地局装置は、上記上りリンクの共有チャネルを受信し、復号を試みる。【００１０】
そして、１９０６（サブフレーム＃ｉ＋６）において、基地局装置は、上記復号結果に基づいて、送達確認情報であるＡｃｋｎｏｗｌｅｄｇｅｍｅｎｔ  ｉｎｆｏｒｍａｔｉｏｎを移動局に送信する。上記Ａｃｋｎｏｗｌｅｄｇｅｍｅｎｔ  ｉｎｆｏｒｍａｔｉｏｎがＮＡＣＫであった場合には、移動局は、サブフレーム＃ｉ＋９において、上りリンクの共有チャネルを再送する（１９０８）。【００１１】
上述した、上りリンクにおけるＨＡＲＱにおいて、送達確認情報を送信するための下りリンクの制御チャネルは、上述した物理下りリンク制御チャネルの情報の１つであるＡｃｋｎｏｗｌｅｄｇｅｍｅｎｔ  ｉｎｆｏｒｍａｔｉｏｎのことである。ここで、例えば、上述したＡｃｋｎｏｗｌｅｄｇｅｍｅｎｔ  ｉｎｆｏｒｍａｔｉｏｎがどの移動局に対しての信号であるかは、上述した物理下りリンク制御チャネルにおけるＵＬ  Ｓｃｈｅｄｕｌｉｎｇ  Ｇｒａｎｔがどの移動局に対して送信されたかに基づいて識別することが検討されている。すなわち、上記Ａｃｋｎｏｗｌｅｄｇｅｍｅｎｔ  ｉｎｆｏｒｍａｔｉｏｎと、上記物理下りリンク制御チャネルにおけるＵＬ  Ｓｃｈｅｄｕｌｉｎｇ  Ｇｒａｎｔのそれぞれに番号を付与し、そのＡｃｋｎｏｗｌｅｄｇｅｍｅｎｔ  ｉｎｆｏｒｍａｔｉｏｎの番号と、上記物理下りリンク制御チャネルにおけるＵＬ  Ｓｃｈｅｄｕｌｉｎｇ  Ｇｒａｎｔの番号を１対１対応させることにより、上記Ａｃｋｎｏｗｌｅｄｇｅｍｅｎｔ  ｉｎｆｏｒｍａｔｉｏｎが、どの移動局に対しての信号であるかを識別することが検討されている。【００１２】
図１の時間関係を示す説明図を用いて説明すると、基地局装置は、１９０２において、物理下りリンク制御チャネルにおける番号nのＵＬ  Ｓｃｈｅｄｕｌｉｎｇ  Ｇｒａｎｔを送信したＵＥに対しては、１９０６において、番号nのＡｃｋｎｏｗｌｅｄｇｅｍｅｎｔ  ｉｎｆｏｒｍａｔｉｏｎを当該ＵＥに送信する。ここで、上述した番号は、例えば、Ａｃｋｎｏｗｌｅｄｇｅｍｅｎｔ  ｉｎｆｏｒｍａｔｉｏｎやＵＬ  Ｓｃｈｅｄｕｌｉｎｇ  Ｇｒａｎｔがマッピングされるサブキャリアや、ＯＦＤＭシンボル、あるいは、リソースの番号により決定される（例えば、非特許文献３参照）。【００１３】
ところで、一般に、移動通信システムにおいては、上りリンクにおける初期接続の確立等にランダムアクセス（Ｒａｎｄｏｍ  Ａｃｃｅｓｓ)が用いられる。以下に、ランダムアクセスの手順を示す（以下、ランダムアクセス手順と呼ぶ）。【００１４】
図２に示すように、ランダムアクセス手順は、４つの手順を備えることが検討されている。また、各手順において、移動局と基地局装置との間でやり取りされるメッセージは、１つ目の手順から順に、Ｍｅｓｓａｇｅ  １、Ｍｅｓｓａｇｅ  ２、Ｍｅｓｓａｇｅ  ３、Ｍｅｓｓａｇｅ  ４と呼ばれる（例えば、非特許文献４参照）。【００１５】
１つ目の手順であるランダムアクセスプリアンブル（Ｒａｎｄｏｍ  Ａｃｃｅｓｓ  Ｐｒｅａｍｂｌｅ）の手順において、移動局は、基地局装置に対してメッセージ１（Ｍｅｓｓａｇｅ１）を送信する。Ｍｅｓｓａｇｅ１により、ランダムＩＤやその他の１ビット程度の情報が伝送される。【００１６】
２つ目の手順であるランダムアクセスレスポンス（Ｒａｎｄｏｍ  Ａｃｃｅｓｓ  Ｒｅｓｐｏｎｓｅ）の手順において、基地局装置は、移動局に対して、メッセージ２（Ｍｅｓｓａｇｅ２）を送信する。Ｍｅｓｓａｇｅ２により、Ｒａｎｄｏｍ  Ａｃｃｅｓｓ  Ｐｒｅａｍｂｌｅの識別情報やタイミング調節情報、初期ＵＬ  Ｇｒａｎｔ（ＵＬ  Ｓｃｈｅｄｕｌｉｎｇ  Ｇｒａｎｔ）、仮のＣ−ＲＮＴＩ（ｃｅｌｌ  ｓｐｅｃｉｆｉｃ−ｒａｄｉｏ  ｎｅｔｗｏｒｋ  ｔｅｍｐｏｒａｒｙ  ｉｄｅｎｔｉｆｉｅｒ）等が伝送される。ＲＮＴＩとは、ユーザを識別するためのテンポラリな識別子であり、Ｃ−ＲＮＴＩはセル固有のテンポラリなユーザ識別子である。ここで、上記初期ＵＬ  Ｇｒａｎｔにより伝送される情報は、上述した物理下りリンク制御チャネルにおけるＵＬ  Ｓｃｈｅｄｕｌｉｎｇ  Ｇｒａｎｔにより伝送される情報とほぼ同じであり、例えば、Ｍｅｓｓａｇｅ３のための、上りリンクのＲｅｓｏｕｒｃｅ  Ｂｌｏｃｋの割り当て情報、データサイズ、変調方式、上りリンクの送信電力情報等である。尚、２つ目の手順においては、１つのメッセージは、１台の移動局に対してだけでなく、２台以上の移動局に対して送信されることもある。【００１７】
３つ目の手順であるスケジュールドトランスミッション（Ｓｃｈｅｄｕｌｅｄ  Ｔｒａｎｓｍｉｓｓｉｏｎ）の手順において、移動局は、基地局装置に対して、メッセージ３（Ｍｅｓｓａｇｅ３）を送信する。Ｍｅｓｓａｇｅ３により、当該移動局の識別情報、例えば、上述した仮のＣ−ＲＮＴＩやＮＡＳ  ｍｅｓｓａｇｅ等が伝送される。Ｍｅｓｓａｇｅ  ３にはＨＡＲＱが適用される。【００１８】
４つ目の手順であるコンテンションリゾルーション（Ｃｏｎｔｅｎｔｉｏｎ  Ｒｅｓｏｌｕｔｉｏｎ）の手順において、基地局装置は、移動局に対してメッセージ４（Ｍｅｓｓａｇｅ４）を送信する。
【非特許文献１】3GPP TR 25.814 (V7.0.0), “Physical Layer Aspects for Evolved UTRA,”June 2006
【非特許文献２】R1-070103, Downlink L1/L2 Control Signaling Channel Structure:Coding
【非特許文献３】R1-070105, ACK/NACK Signal Structure inE-UTRA Downlink, January 2007
【非特許文献４】3GPP TR 36.300 (V0.4.0, “Evolved Universal Terrestrial Radio Access(E-UTRA) and Evolved Universal Terrestrial Radio Access Network (U-UTRAN);Overall description; Stage 2 (Release 8), 10.1.5 Random Access Procedure,January 2007
【発明の開示】
【発明が解決しようとする課題】
【００１９】
しかしながら、上述した背景技術には以下の問題がある。【００２０】
ランダムアクセス手順におけるＭｅｓｓａｇｅ３においては、その割り当てられる上りリンクのリソースの情報、すなわち、初期ＵＬ  Ｇｒａｎｔが、物理下りリンク制御チャネルにマッピングされるのではなく、ランダムアクセス手順の中の、２つ目の手順であるＲａｎｄｏｍ  Ａｃｃｅｓｓ  Ｒｅｓｐｏｎｓｅの手順におけるＭｅｓｓａｇｅ  ２にマッピングされる。この場合、上述したような、送達確認情報であるＡｃｋｎｏｗｌｅｄｇｅｍｅｎｔ  ｉｎｆｏｒｍａｔｉｏｎの番号と、上記物理下りリンク制御チャネルにおけるＵＬ  Ｓｃｈｅｄｕｌｉｎｇ  Ｇｒａｎｔの番号を１対１対応させる方法を適用することができないため、基地局装置は、当該移動局に対して、Ｍｅｓｓａｇｅ３に対する送達確認情報Ａｃｋｎｏｗｌｅｄｇｅｍｅｎｔ  ｉｎｆｏｒｍａｔｉｏｎを送信できないことになる。【００２１】
そこで、本発明は、上述した課題に鑑み、その目的は、ランダムアクセス手順において、効率が良く、かつ、高品質を保証された、Ｍｅｓｓａｇｅ３に関するＨＡＲＱの処理を行うことのできる基地局装置、移動局、無線通信システム及び通信制御方法を提供することにある。
【課題を解決するための手段】
【００２２】
上記課題を解決するため、本発明の基地局装置は、
移動局と、前記移動局と通信を行う基地局装置とを具備する無線通信システムにおける基地局装置であって：
前記移動局は前記基地局装置に第１の信号を送信し、
前記第１の信号を復号する復号手段；
前記第１の信号の復号結果に基づいて、前記第１の信号を正常に受信しなかった場合に、前記第１の信号の再送のための制御信号を前記移動局に送信する手段；
備えることを特徴の１つとする。【００２３】
上記課題を解決するため、本発明の移動局は、
移動局と、前記移動局と通信を行う基地局装置とを具備する無線通信システムにおける移動局であって：
前記基地局装置に第１の信号を送信する手段；
前記基地局装置から、前記第１の信号の再送のための制御信号を受信した場合に、前記第１の信号を再送する手段；
を備えることを特徴の１つとする。【００２４】
上記課題を解決するため、本発明の移動通信システムは、
移動局と、前記移動局と通信を行う基地局装置とを具備する無線通信システムであって：
前記移動局は、
前記基地局装置に第１の信号を送信する手段；
前記基地局装置から、前記第１の信号の再送のための制御信号を受信した場合に、前記第１の信号を再送する手段；
を備え、
前記基地局は、
前記第１の信号を復号する復号手段；
前記第１の信号の復号結果に基づいて、前記第１の信号を正常に受信しなかった場合に、前記第１の信号の再送のための制御信号を前記移動局に送信する手段；
を備えることを特徴の１つとする。【００２５】
上記課題を解決するため、本発明の通信制御方法は、
移動局と、前記移動局と通信を行う基地局装置とを具備する無線通信システムにおける通信制御方法であって：
前記移動局が前記基地局装置に第１の信号を送信する第１のステップ；
前記基地局装置が、前記第１の信号を復号する第２のステップ；
前記基地局装置が、前記第１の信号の復号結果に基づいて、前記第１の信号を正常に受信しなかった場合に、前記第１の信号の再送のための制御信号を前記移動局に送信する第３のステップ；
前記移動局が、前記第１の信号の再送のための制御信号を受信した場合に、前記第１の信号を再送する第４のステップ；
を有することを特徴の１つとする。【００２６】
上記課題を解決するため、本発明の他の移動通信システムは、
移動局と、前記移動局と通信を行う基地局装置とを具備する無線通信システムであって：
前記移動局は、
前記基地局装置に第１の信号を送信する手段；
前記第１の信号を再送する手段；
を備え、
前記基地局装置は、
前記第１の信号を復号する復号手段；
前記第１の信号の復号結果に基づいて、前記第１の信号を正常に受信した場合に、第２の信号を送信する手段；
を備え、
前記再送する手段は、前記第２の信号を受信するまで、前記第１の信号を再送することを特徴の１つとする。
【発明の効果】
【００２７】
本発明の実施例によれば、ランダムアクセス手順において、効率が良く、かつ、高品質を保証された、Ｍｅｓｓａｇｅ３に関するＨＡＲＱの処理を行うことのできる基地局装置、移動局、無線通信システム及び通信制御方法を実現することができる。
【図面の簡単な説明】
【００２８】
【図１】上りリンクのＨＡＲＱにおける、移動局と基地局装置の処理の時間関係を示す説明図である。
【図２】ランダムアクセス手順を示す説明図である。
【図３】本発明の実施例に係る無線通信システムの構成を示すブロック図である。
【図４】下りリンクにおけるサブフレームの構成例を示す説明図である。
【図５】ＯＦＤＭシンボル＃１及び＃２におけるサブキャリアマッピングの一例を示す説明図である。
【図６】物理下りリンク制御チャネルにおけるＵＬ  Ｓｃｈｅｄｕｌｉｎｇ  Ｇｒａｎｔの構成例及びチャネル符号化方法を示す説明図である。
【図７】物理下りリンク制御チャネルにおけるＵＬ  Ｓｃｈｅｄｕｌｉｎｇ  Ｇｒａｎｔのサブキャリアマッピングの例を示す説明図である。
【図８】本発明の一実施例に係る、Ｍｅｓｓａｇｅ３に関するＨＡＲＱ処理における、移動局と基地局装置の処理を示す説明図である。
【図９】本発明の一実施例に係る、Ｍｅｓｓａｇｅ３に関するＨＡＲＱ処理における、移動局と基地局装置の処理を示す説明図である。
【図１０】本発明の一実施例に係る移動局を示す部分ブロック図である。
【図１１】本発明の一実施例に係る基地局装置を示す部分ブロック図である。
【図１２】本発明の一実施例に係る移動局における通信制御方法を示すフロー図である。
【図１３】本発明の一実施例に係る基地局装置における通信制御方法を示すフロー図である。
【図１４】本発明の一実施例に係る、Ｍｅｓｓａｇｅ３に関するＨＡＲＱ処理における、移動局と基地局装置の処理を示す説明図である。
【図１５】本発明の一実施例に係る、Ｍｅｓｓａｇｅ３に関するＨＡＲＱ処理における、移動局と基地局装置の処理を示す説明図である。
【図１６】本発明の一実施例に係る移動局における通信制御方法を示すフロー図である。
【図１７】本発明の一実施例に係る基地局装置における通信制御方法を示すフロー図である。
【図１８】本発明の一実施例に係る、Ｍｅｓｓａｇｅ３に関するＨＡＲＱ処理における、移動局と基地局装置の処理を示す説明図である。
【図１９】本発明の一実施例に係る、物理下りリンク制御チャネルにおける特殊なＵＬ  Ｓｃｈｅｄｕｌｉｎｇ  Ｇｒａｎｔの構成例及びチャネル符号化方法を示す説明図である。
【図２０】本発明の一実施例に係る、Ｍｅｓｓａｇｅ３に関するＨＡＲＱ処理における、移動局と基地局装置の処理を示す説明図である。
【図２１】本発明の一実施例に係る、Ｍｅｓｓａｇｅ３のための特殊なＡｃｋｎｏｗｌｅｄｇｅｍｅｎｔ  ｉｎｆｏｒｍａｔｉｏｎのサブキャリアマッピングの例を示す説明図である。
【図２２】本発明の一実施例に係る、Ｍｅｓｓａｇｅ３に関するＨＡＲＱ処理における、移動局と基地局装置の処理を示す説明図である。
【符号の説明】
【００２９】
５０  セル
１００１、１００２、１００３、１００ｎ  移動局
１０２  送受信アンテナ
１０４  アンプ部
１０６  送受信部
１０８  ベースバンド処理部
１１０  アプリケーション部
２００  基地局装置
２０２  送受信アンテナ
２０４  アンプ部
２０６  送受信部
２０８  ベースバンド信号処理部
２１０  呼処理部
２１２  伝送路インターフェース
３００  アクセスゲートウェイ装置
４００  コアネットワーク
【発明を実施するための最良の形態】
【００３０】
以下、本発明の実施例を、図面を参照しつつ説明する。実施例を説明するための全図において、同一機能を有するものは同一符号を用い、繰り返しの説明は省略する。【００３１】
図3を参照しながら、本発明の実施例に係る移動局及び基地局装置を有する無線通信システムについて説明する。【００３２】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００と、基地局装置２００と通信する複数の移動局１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０において基地局装置２００とＥｖｏｌｖｅｄ  ＵＴＲＡ  ａｎｄ  ＵＴＲＡＮにより通信を行っている。【００３３】
各移動局（１００１、１００２、１００３、・・・１００ｎ）は、同一の構成、機能、状態を有するので、以下では特段の断りがない限り移動局１００ｎとして説明を進める。説明の便宜上、基地局装置と無線通信するのは移動局であるが、より一般的には移動端末も固定端末も含むユーザ装置（ＵＥ：  Ｕｓｅｒ  Ｅｑｕｉｐｍｅｎｔ）でよい。【００３４】
ここで、移動局１００ｎの中には、セル５０において基地局装置２００とＥｖｏｌｖｅｄ  ＵＴＲＡ  ａｎｄ  ＵＴＲＡＮにより通信を行っている状態の移動局と、セル５０において基地局装置２００とＥｖｏｌｖｅｄ  ＵＴＲＡ  ａｎｄ  ＵＴＲＡＮにより通信を行っていない状態の移動局の両方が存在することとする。例えば、セル５０において基地局装置２００とＥｖｏｌｖｅｄ  ＵＴＲＡ  ａｎｄ  ＵＴＲＡＮにより通信を行っていない状態の移動局は、基地局装置２００との間でランダムアクセス手順を行うことにより、通信を開始するための手順を行う。また、セル５０において基地局装置２００とＥｖｏｌｖｅｄ  ＵＴＲＡ  ａｎｄ  ＵＴＲＡＮにより通信を行っている状態の移動局も、ハンドオーバや上りリンクのスケジューリング要求、上り同期確立要求等の目的でランダムアクセス手順を行うことがある。【００３５】
無線通信システム１０００では、無線アクセス方式として、下りリンクについてはＯＦＤＭ（直交周波数分割多元接続）が、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。【００３６】
ここで、Ｅｖｏｌｖｅｄ  ＵＴＲＡ  ａｎｄ  ＵＴＲＡＮにおける通信チャネルについて説明する。【００３７】
下りリンクについては、各移動局１００ｎで共有される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、物理下りリンク制御チャネル(ＰＤＣＣＨ：  Ｐｈｙｓｉｃａｌ  Ｄｏｗｎｌｉｎｋｇ  Ｃｏｎｔｒｏｌ  Ｃｈａｎｎｅｌ)とが用いられる。物理下りリンク制御チャネルは下りＬ１／Ｌ２制御チャネルとも呼ばれる。上記物理下りリンク共有チャネルにより、ユーザデータ、すなわち、通常のデータ信号が伝送される。また、物理下りリンク制御チャネルにより、ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ）、ダウンリンクスケジューリンググラント（ＤＬ  Ｓｃｈｅｄｕｌｉｎｇ  Ｇｒａｎｔ）、Ａｃｋｎｏｗｌｅｄｇｅｍｅｎｔ  ｉｎｆｏｒｍａｔｉｏｎ（ＡＣＫ／ＮＡＣＫ）、アップリンクスケジューリンググラント（ＵＬ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が伝送される。ＤＬ  Ｓｃｈｅｄｕｌｉｎｇ  Ｇｒａｎｔには、例えば、物理下りリンク共有チャネルを用いて通信を行うユーザのＩＤや、そのユーザデータのトランスポートフォーマットの情報、すなわち、データサイズ、変調方式、ＨＡＲＱに関する情報や、下りリンクのリソースブロックの割り当て情報等が含まれる。尚、上述したダウンリンクＬ１／Ｌ２制御チャネルフォーマットインジケータは、Ｐｈｙｓｉｃａｌ  Ｃｏｎｔｒｏｌ  Ｆｏｒｍａｔ  Ｉｎｄｉｃａｔｏｒ  Ｃｈａｎｎｅｌ（物理制御フォーマットインジケータチャネル）（ＰＣＦＩＣＨ）と呼ばれてもよい。また、上述したダウンリンクスケジューリンググラントは、ダウンリンクスケジューリングインフォメーションあるいはダウンリンクアサインメントインフォメーションと呼ばれてもよい。【００３８】
また、ＵＬ  Ｓｃｈｅｄｕｌｉｎｇ  Ｇｒａｎｔには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報等が含まれる。ここで、上りリンクのリソースブロックとは、周波数リソースに相当し、リソースユニットとも呼ばれる。
また、Ａｃｋｎｏｗｌｅｄｇｅｍｅｎｔ  ｉｎｆｏｒｍａｔｉｏｎ（ＡＣＫ／ＮＡＣＫ）とは、上りリンクの共有チャネルに関する送達確認情報のことである。【００３９】
上りリンクについては、各移動局１００ｎで共有して使用される物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）と、物理上りリンク制御チャネルとが用いられる。上記物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）、及び、物理下りリンク共有チャネルの送達確認情報（Ａｃｋｎｏｗｌｅｄｇｅｍｅｎｔ  Ｉｎｆｏｒｍａｔｉｏｎ）が伝送される。送達確認情報の内容は、送信信号が適切に受信されたことを示す肯定応答(ＡＣＫ：  Ａｃｋｎｏｗｌｅｄｇｅｍｅｎｔ)又はそれが適切に受信されなかったことを示す否定応答(ＮＡＣＫ：  Ｎｅｇａｔｉｖｅ  Ａｃｋｎｏｗｌｅｄｇｅｍｅｎｔ)の何れかで表現される。【００４０】
物理上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。【００４１】
ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置が移動局に通知することを意味する。【００４２】
下りリンクにおいては、図４に示すように、１サブフレームは１ｍｓであり、１サブフレームの中に１４個のＯＦＤＭシンボルが存在する。図４において、Ｍ（Ｍは、Ｍ＞０の整数はリソースブロックを示す番号であり、＃１−＃１４はＯＦＤＭシンボルを示す番号である。１サブフレームの先頭からいくつかのＯＦＤＭシンボルには、上記物理下りリンク制御チャネルがマッピングされる。物理下りリンク制御チャネルがマッピングされるＯＦＤＭシンボルの最大数は３である。すなわち、物理下りリンク制御チャネルは、ＯＦＤＭシンボル＃１にマッピングされる、ＯＦＤＭシンボル＃１と＃２にマッピングされる、ＯＦＤＭシンボル＃１と＃２と＃３にマッピングされる、の３通りでマッピングされる。【００４３】
図４においては、１サブフレームの先頭の２個のＯＦＤＭシンボル、すなわち、ＯＦＤＭシンボル＃１及び＃２に上記物理下りリンク制御チャネルがマッピングされている。そして、上記物理下りリンク制御チャネルがマッピングされるＯＦＤＭシンボル以外のＯＦＤＭシンボルにおいて、データ信号や同期用の信号Ｓｙｎｃｈｒｏｎｉｚａｔｉｏｎ  Ｓｉｇｎａｌｓ、報知情報であるＢｒｏａｄｃａｓｔ  ｃｈａｎｎｅｌ等が送信される。【００４４】
また、周波数方向においては、Ｍ個のＲｅｓｏｕｒｃｅ  Ｂｌｏｃｋが定義される。ここで、１Ｒｅｓｏｕｒｃｅ  Ｂｌｏｃｋあたりの周波数帯域は１８０ｋＨｚであり、１つのＲｅｓｏｕｒｃｅ  Ｂｌｏｃｋの中に１２個のサブキャリアが存在する。また、Ｒｅｓｏｕｒｃｅ  Ｂｌｏｃｋの数Ｍは、システム帯域幅が５ＭＨｚの場合には２５であり、システム帯域幅が１０ＭＨｚの場合には５０であり、システム帯域幅が２０ＭＨｚの場合には１００である。【００４５】
図５に、図４に示すサブフレームの構成を持つ場合の、ＯＦＤＭシンボル＃１及び＃２におけるサブキャリアマッピングを示す。尚、同図において、１ＯＦＤＭシンボルのサブキャリアの数をＬ（Ｌは、Ｌ＞０の整数）とし、周波数の小さい方から、サブキャリア＃１、＃２、…、＃Ｌと番号付けを行っている。システム帯域幅が５ＭＨｚの場合には、Ｌ＝３００であり、システム帯域幅が１０ＭＨｚの場合には、Ｌ＝６００であり、システム帯域幅が２０ＭＨｚの場合には、Ｌ＝１２００である。同図に示すように、ＯＦＤＭシンボル＃１のサブキャリアには、下りリンクリファレンスシグナル（ＤＬ  ＲＳ：  Ｄｏｗｎｌｉｎｋ  Ｒｅｆｅｒｅｎｃｅ  Ｓｉｇｎａｌ）と物理下りリンク制御チャネルがマッピングされる。また、ＯＦＤＭシンボル＃２には、物理下りリンク制御チャネルがマッピングされる。【００４６】
ＤＬ  ＲＳは、ＯＦＤＭシンボル＃１において、６個のサブキャリアに１個の割合で送信される。図においては、サブキャリア＃６×ｄ−５（但し、ｄ：１、２、…）にＤＬ  ＲＳがマッピングされている。また、上記ＤＬ  ＲＳがマッピングされているサブキャリア以外のサブキャリアに物理下りリンク制御チャネルがマッピングされる。図においては、上記物理下りリンク制御チャネルの内、Ａｃｋｎｏｗｌｅｄｇｅｍｅｎｔ  ｉｎｆｏｒｍａｔｉｏｎがマッピングされるサブキャリアの例を示した。図においては、サブキャリア＃３と、サブキャリア＃Ｌ−３にマッピングされている例を示している。Ａｃｋｎｏｗｌｅｇｅｍｅｎｔ  ｉｎｆｏｒｍａｔｉｏｎがマッピングされるサブキャリアの数は、上りリンクにおいて1サブフレームに多重される移動局数の最大数、すなわち、1サブフレームにおいて上りリンクの共有チャネルを送信する移動局の数の最大数により決定される。【００４７】
尚、物理下りリンク制御チャネルがマッピングされるＯＦＤＭシンボルの数が３の場合のＯＦＤＭシンボル＃３の構成は、図５におけるＯＦＤＭシンボル＃２の構成と基本的に同じである。【００４８】
さらに、図６にＵＬ  Ｓｃｈｅｄｕｌｉｎｇ  Ｇｒａｎｔの情報ビットの構成例およびチャネル符号化方法の例を示し、図７に、ＵＬ  Ｓｃｈｅｄｕｌｉｎｇ  Ｇｒａｎｔのサブキャリアのマッピング例を示す。【００４９】
図６において、ＵＬ  Ｓｃｈｅｄｕｌｉｎｇ  Ｇｒａｎｔは、データサイズや変調方式等に関する情報を通知する情報ビットと、リソースブロックの割当情報を通知する情報ビットと、送信電力に関する情報を通知する情報ビットと、ＣＲＣビットとから構成される。尚、ＣＲＣビットには、ＵＥ  ＩＤがマスキングされるため、ＵＥ  ＩＤの情報、すなわち、上りリンクの共有チャネルを用いて通信を行うユーザのＩＤが含まれることになる。尚、上述した構成例は、あくまで一例であり、上記以外の情報ビットが含まれていてもよく、あるいは、上記の情報ビットの一部が含まれていなくてもよい。そして、上記ＵＬ  Ｓｃｈｅｄｕｌｉｎｇ  Ｇｒａｎｔの情報ビットは、チャネル符号化される。チャネル符号化は、畳み込み符号化でもよいし、ターボ符号化でもよい。そして、図７に示すように、上記ＵＬ  Ｓｃｈｅｄｕｌｉｎｇ  Ｇｒａｎｔのチャネル符号化後のビットは、物理下りリンク制御チャネルの所定のサブキャリアにマッピングされる。【００５０】
一般に、1サブフレームにおいて複数の移動局が上りリンクの共有チャネルを送信するため、複数のＵＬ  Ｓｃｈｅｄｕｌｉｎｇ  Ｇｒａｎｔが存在する。よって、図７に示す、ＵＬ  Ｓｃｈｅｄｕｌｉｎｇ  Ｇｒａｎｔがマッピングされるサブキャリアにおいては、複数のＵＬ  Ｓｃｈｅｕｄｌｉｎｇ  Ｇｒａｎｔが多重される。その多重方法は、周波数多重でもよいし、コード多重でもよいし、時間多重でもよい。また、上述した周波数多重やコード多重、時間多重のハイブリッドでもよい。あるいは、上述した例では１つのＵＬ  Ｓｃｈｅｄｕｌｉｎｇ  Ｇｒａｎｔをチャネル符号化した後に多重を行っているが、代わりに、複数のＵＬ  Ｓｃｈｅｄｕｌｉｎｇ  Ｇｒａｎｔをまとめてチャネル符号化した後に、サブキャリアへのマッピングを行ってもよい。【００５１】
また、上述した例においては、ＵＬ  Ｓｃｈｅｄｕｌｉｎｇ  Ｇｒａｎｔのみを多重する場合を示したが、ＵＬ  Ｓｃｈｅｄｕｌｉｎｇ  Ｇｒａｎｔがマッピングされるサブキャリアに、ＤＬ  Ｓｃｈｅｄｕｌｉｎｇ  Ｇｒａｎｔがマッピングされてもよい。すなわち、ＤＬ  Ｓｃｈｅｄｕｌｉｎｇ  ＧｒａｎｔとＵＬ  Ｓｃｈｅｄｕｌｉｎｇ  Ｇｒａｎｔがマッピングされるサブキャリアが指定され、そのサブキャリア内で、ＤＬ  Ｓｃｈｅｕｄｌｉｎｇ  ＧｒａｎｔとＵＬ  Ｓｃｈｅｄｕｌｉｎｇ  Ｇｒａｎｔが多重されてもよい。【００５２】
ランダムアクセス手順におけるＭｅｓｓａｇｅ３のＨＡＲＱの適用方法に関連し、図８及び図９を用いて、以下にさらに詳しく説明する。【００５３】
本実施例では、基地局装置２００は、初回送信のＭｅｓｓａｇｅ３の復号結果（ＣＲＣ  ｃｈｅｃｋ結果）がＮＧの場合に、所定のタイミングにおいて、上述した物理下りリンク制御チャネルにおけるＵＬ  Ｓｃｈｅｄｕｌｉｎｇ  Ｇｒａｎｔを用いて、再送のＭｅｓｓａｇｅ３のためのＵＬ  Ｓｃｈｅｄｕｌｉｎｇ  Ｇｒａｎｔを、Ｍｅｓｓａｇｅ３を送信した移動局１００ｎに送信し、初回送信のＭｅｓｓａｇｅ３の復号結果（ＣＲＣ  ｃｈｅｃｋ結果）がＯＫの場合には、Ｍｅｓｓａｇｅ３を送信した移動局１００ｎに対して送達確認情報を送信しないことにより、実現される。【００５４】
以下では、ランダムアクセス手順における３つ目の手順であるＳｃｈｅｄｕｌｅｄ  Ｔｒａｎｓｍｉｓｓｉｏｎの手順に関して、さらに詳細に説明を行う。【００５５】
まず、初回送信のＭｅｓｓａｇｅ３の復号結果がＮＧの場合について、図８を参照して説明する。【００５６】
６０２において、基地局装置２００は、Ｍｅｓｓａｇｅ２に関するＤＬ  Ｓｃｈｅｄｕｌｉｎｇ  Ｇｒａｎｔを物理下りリンク制御チャネルにより送信し、かつ、同じサブフレーム内の下りリンクの共有チャネルを用いてＭｅｓｓａｇｅ２を移動局に送信する。そして、移動局１００ｎは、物理下りリンク制御チャネルにおける上記Ｍｅｓｓａｇｅ２に関するＤＬ  Ｓｃｈｅｄｕｌｉｎｇ  Ｇｒａｎｔを受信し、かつ、上記Ｍｅｓｓａｇｅ２に関するＤＬ  Ｓｃｈｅｄｕｌｉｎｇ  Ｇｒａｎｔに基づき、上記Ｍｅｓｓａｇｅ２を受信する。上記Ｍｅｓｓａｇｅ２には、Ｍｅｓｓａｇｅ３に関するＵＬ  Ｓｃｈｅｄｕｌｉｎｇ  Ｇｒａｎｔが含まれている。【００５７】
６０４において、移動局１００ｎは、所定のタイミング（サブフレーム＃ｉ＋３）において、上記ＵＬ  Ｓｃｈｅｄｕｌｉｎｇ  Ｇｒａｎｔに基づき、Ｍｅｓｓａｇｅ３を送信する。そして、基地局装置２００は、上記Ｍｅｓｓａｇｅ３を受信し、上記Ｍｅｓｓａｇｅ３の復号を行う。【００５８】
上記Ｍｅｓｓａｇｅ３の復号結果（ＣＲＣ  ｃｈｅｃｋ結果）がＮＧの場合に、基地局装置２００は、所定のタイミング（サブフレーム＃ｉ＋６）において、物理下りリンク制御チャネルにより、再送のＭｅｓｓａｇｅ３のためのＵＬ  Ｓｃｈｅｄｕｌｉｎｇ  Ｇｒａｎｔを、移動局１００ｎに送信する（６０６）。移動局１００ｎは、上記再送のＭｅｓｓａｇｅ３のためのＵＬ  Ｓｃｈｅｄｕｌｉｎｇ  Ｇｒａｎｔを受信する（６０６）。【００５９】
そして、６０８において、移動局１００ｎは、所定のタイミング（サブフレーム＃ｉ＋９）において、上記再送のＭｅｓｓａｇｅ３のためのＵＬ  Ｓｃｈｅｄｕｌｉｎｇ  Ｇｒａｎｔに基づき、再送のＭｅｓｓａｇｅ３を送信する。そして、基地局装置２００は、上記Ｍｅｓｓａｇｅ３を受信し、上記Ｍｅｓｓａｇｅ３の復号を行う。【００６０】
尚、２回目に送信されるＭｅｓｓａｇｅ３のＵＬ  Ｓｃｈｅｄｕｌｉｎｇ  Ｇｒａｎｔは、物理下りリンク制御チャネルにマッピングされるため、２回目以降に送信されるＭｅｓｓａｇｅ３の送達確認情報、すなわち、ＡＣＫまたはＮＡＣＫは、通常の上りリンクの共有チャネルにおけるＨＡＲＱと同様に、物理下りリンク制御チャネルにおけるＡｃｋｎｏｗｌｅｄｇｅｍｅｎｔ  ｉｎｆｏｒｍａｔｉｏｎとして送信される。あるいは、２回目以降に送信されるＭｅｓｓａｇｅ３に対しても、１回目に送信されるＭｅｓｓａｇｅ３と同様に、その復号結果がＮＧの場合には、物理下りリンク制御チャネルにおけるＵＬ  Ｓｃｈｅｄｕｌｉｎｇ  Ｇｒａｎｔが送信されてもよい。あるいは、上記物理下りリンク制御チャネルにおけるＡｃｋｎｏｗｌｅｄｇｅｍｅｎｔ  ｉｎｆｏｒｍａｔｉｏｎと、物理下りリンク制御チャネルにおけるＵＬ  Ｓｃｈｅｄｕｌｉｎｇ  Ｇｒａｎｔの両方が送信されてもよい。【００６１】
次に、初回送信のＭｅｓｓａｇｅ３の復号結果がＯＫの場合について、図９を参照して説明する。【００６２】
６１０において、基地局装置２００は、Ｍｅｓｓａｇｅ２に関するＤＬ  Ｓｃｈｅｄｕｌｉｎｇ  Ｇｒａｎｔを物理下りリンク制御チャネルにより送信し、かつ、同じサブフレーム内の下りリンクの共有チャネルを用いてＭｅｓｓａｇｅ２を移動局に送信する。そして、移動局１００ｎは、物理下りリンク制御チャネルにおける上記Ｍｅｓｓａｇｅ２に関するＤＬ  Ｓｃｈｅｄｕｌｉｎｇ  Ｇｒａｎｔを受信し、かつ、上記Ｍｅｓｓａｇｅ２に関するＤＬ  Ｓｃｈｅｄｕｌｉｎｇ  Ｇｒａｎｔに基づき、上記Ｍｅｓｓａｇｅ２を受信する。上記Ｍｅｓｓａｇｅ２には、Ｍｅｓｓａｇｅ３に関するＵＬ  Ｓｃｈｅｄｕｌｉｎｇ  Ｇｒａｎｔが含まれている。【００６３】
６１２において、移動局１００ｎは、所定のタイミング（サブフレーム＃ｉ＋３）において、上記ＵＬ  Ｓｃｈｅｄｕｌｉｎｇ  Ｇｒａｎｔに基づき、Ｍｅｓｓａｇｅ３を送信する。そして、基地局装置２００は、上記Ｍｅｓｓａｇｅ３を受信し、上記Ｍｅｓｓａｇｅ３の復号を行う。【００６４】
上記Ｍｅｓｓａｇｅ３の復号結果（ＣＲＣ  ｃｈｅｃｋ結果）がＯＫの場合に、基地局装置２００は、所定のタイミング（サブフレーム＃ｉ＋６）において、移動局１００ｎに上記Ｍｅｓｓａｇｅ３に対する送達確認情報を送信しない（６１４）。一方、移動局１００ｎは、所定のタイミング（サブフレーム＃ｉ＋６）において、基地局装置２００から、物理下りリンク制御チャネルにマッピングされた、再送のＭｅｓｓａｇｅ３のためのＵＬ  Ｓｃｈｅｄｕｌｉｎｇ  Ｇｒａｎｔが送信されないため、上記Ｍｅｓｓａｇｅ３が正常に復号された、すなわち、復号結果がＯＫであったと判断する。この時、移動局１００ｎは、ランダムアクセス手順における４つ目の手順であるＣｏｎｔｅｎｔｉｏｎ  Ｒｅｓｏｌｕｔｉｏｎの手順に移る。すなわち、移動局１００ｎは、基地局装置２００からＭｅｓｓａｇｅ４が送信されるのを待つ。【００６５】
ここで、例えば、６０４において、上記Ｍｅｓｓａｇｅ３の復号結果（ＣＲＣ  ｃｈｅｃｋ結果）がＮＧの場合に、基地局装置は、所定のタイミング（サブフレーム＃ｉ＋６）において、物理下りリンク制御チャネルにより、再送のＭｅｓｓａｇｅ３のためのＵＬ  Ｓｃｈｅｄｕｌｉｎｇ  Ｇｒａｎｔを、移動局１００ｎに送信したとしても、上記ＵＬ  Ｓｃｈｅｄｕｌｉｎｇ  Ｇｒａｎｔが、移動局１００ｎにおいて正しく復号できない場合がある。このとき、移動局１００ｎは、６１４の動作と同一の動作となるため、Ｍｅｓｓａｇｅ３の再送を行わない（６０８の処理を行わない）。この場合、基地局装置２００は、移動局１００ｎからＭｅｓｓａｇｅ３が再送されるのを期待し、移動局１００ｎは、基地局装置２００から、Ｍｅｓｓａｇｅ４が送信されるのを期待するというデッドロック状態になるため、問題となる。【００６６】
よって、この場合には、例えば、移動局１００ｎは、所定のタイマーを具備し、所定のタイミング、例えば、６１４のタイミング（サブフレーム＃ｉ＋６）から、上記タイマーが経過しても、基地局装置２００からのＭｅｅｓａｇｅ４を受信できなかった場合に、上述したデッドロック状態になったと判断し、ランダムアクセス手順の１回目の手順を再開してもよい。また、基地局装置２００も、再送のＭｅｓｓａｇｅ３のためのＵＬ  Ｓｃｈｅｄｕｌｉｎｇ  Ｇｒａｎｔを送信したにも関わらず、移動局１００ｎより、Ｍｅｓｓａｇｅ３が再送されない場合には、移動局１００ｎから、Ｍｅｓｓａｇｅ３は再送されないと判断してもよい。この場合、基地局装置２００も、同様のタイマーを具備し、所定のタイミング（サブフレーム＃ｉ＋６）から、上記タイマーが経過しても、移動局１００ｎより、Ｍｅｓｓａｇｅ３が再送されない場合には、移動局１００ｎから、Ｍｅｓｓａｇｅ３は再送されないと判断してもよい。この時、基地局２００は、移動局１００ｎから送信されるＭｅｓｓａｇｅ３の無線リソース、例えば、周波数リソースやリソースブロック等を、他の移動局に割り当てることができる。【００６７】
尚、一般に、１サブフレームにおける物理下りリンク制御チャネルにおけるＵＬ  Ｓｃｈｅｕｄｌｉｎｇ  Ｇｒａｎｔの数には上限値が設定されている。よって、６０６において、再送のＭｅｓｓａｇｅ３のためのＵＬ  Ｓｃｈｅｄｕｌｉｎｇ  Ｇｒａｎｔの数が多い場合には、全ての再送のＭｅｓｓａｇｅ３のためのＵＬ  Ｓｃｈｅｄｕｌｉｎｇ  Ｇｒａｎｔを送信できない場合がある。この場合には、例えば、基地局装置２００は、再送のＭｅｓｓａｇｅ３のためのＵＬ  Ｓｃｈｅｄｕｌｉｎｇ  Ｇｒａｎｔの一部を送信しないという処理を行ってもよい。あるいは、基地局装置２００は、再送のＭｅｓｓａｇｅ３のためのＵＬ  Ｓｃｈｅｄｕｌｉｎｇ  Ｇｒａｎｔの一部を、後送される未来のサブフレーム、例えば、次のサブフレームにおいて送信するという処理を行ってもよい。そして、移動局１００ｎは、上記後送される未来のサブフレームも含めて、上記再送のＭｅｓｓａｇｅ３のためのＵＬ  Ｓｃｈｅｄｕｌｉｎｇ  Ｇｒａｎｔの受信を試みる。【００６８】
また、上述した図８及び図９においては、ＨＡＲＱのプロセス数が６である場合を示したが、ＨＡＲＱのプロセス数が６以外の値、例えば、８の場合にも、同様の方法を適用することが可能である。【００６９】
このように、物理下りリンク制御チャネルにおいてＵＬ  Ｓｃｈｅｄｕｌｉｎｇ  Ｇｒａｎｔが送信されない初回送信のＵＬ  Ｓｃｈｅｄｕｌｉｎｇ  Ｇｒａｎｔに対する送達確認情報は、ＡＣＫの場合に何も送信しない、ＮＡＣＫの場合に、物理下りリンク制御チャネルにおけるＵＬ  Ｓｃｈｅｄｕｌｉｎｇ  Ｇｒａｎｔを送信するという送信方法を適用することにより、効率の良い、オーバヘッドの少ないＭｅｓｓａｇｅ３のＨＡＲＱを実現することができる。【００７０】
図１０を参照しながら、本発明の実施例に係る移動局１００ｎについて説明する。【００７１】
同図において、移動局１００ｎは、送受信アンテナ１０２と、アンプ部１０４と、送受信部１０６と、ベースバンド信号処理部１０８と、アプリケーション部１１０とを具備する。【００７２】
下りリンクのデータについては、送受信アンテナ１０２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号、再送制御の受信処理等がなされる。上記下りリンクのデータの内、下りリンクのユーザデータは、アプリケーション部１１０に転送される。アプリケーション部１１０は、物理レイヤーやＭＡＣレイヤーより上位のレイヤーに関する処理等を行う。【００７３】
一方、上りリンクのユーザデータについては、アプリケーション部１１０からベースバンド信号処理部１０８に入力される。ベースバンド信号処理部１０８では、再送制御（Ｈ−ＡＲＱ  （Ｈｙｂｒｉｄ  ＡＲＱ））の送信処理や、チャネル符号化、ＩＦＦＴ処理等が行われて送受信部１０６に転送される。送受信部１０６では、ベースバンド信号処理部１０８から出力されたベースバンド信号を無線周波数帯に変換する周波数変換処理が施され、その後、アンプ部１０４で増幅されて送受信アンテナ１０２より送信される。【００７４】
図８及び図９を用いて説明を行った、本発明の実施例に係る、Ｍｅｓｓａｇｅ３のＨＡＲＱに係る移動局の処理は、図１０におけるベースバンド信号処理部１０８において行われる。すなわち。ベースバンド信号処理部１０８は、基地局装置に第１の信号としてのランダムアクセス手順におけるＭｅｓｓａｇｅ３を送信する送信部と、基地局装置から、Ｍｅｓｓａｇｅ３の再送のための制御信号としての下りリンクの制御チャネルにマッピングされるＵＬ  Ｇｒａｎｔを受信した場合に、Ｍｅｓｓａｇｅ３を再送する再送部と、基地局装置にＭｅｓｓａｇｅ３を再送した場合に、該Ｍｅｓｓａｇｅ３に対する送達確認情報を受信する受信部とを備える。ここで、ＵＬ  Ｇｒａｎｔとは、上りリンクのリソースブロックの割り当て情報、識別情報、データサイズ、変調方式、送信電力の少なくとも１つを示す信号である。また、ベースバンド信号処理部１０８は、上記Ｍｅｓｓａｇｅ３の再送のための制御信号としての下りリンクの制御チャネルにマッピングされるＵＬ  Ｇｒａｎｔを受信しなかった場合に、Ｍｅｓｓａｇｅ４を受信する受信部を備える。さらに、ベースバンド信号処理部１０８は、上記Ｍｅｓｓａｇｅ３の再送のための制御信号としての下りリンクの制御チャネルにマッピングされるＵＬ  Ｇｒａｎｔを受信せず、かつ、所定のタイマーが経過するまでにＭｅｓｓａｇｅ４を受信しなかった場合に、ランダムアクセス手順の1つ目の手順であるランダムアクセスプリアンブルの手順を開始する送信部を備える。【００７５】
次に、図１１を参照しながら、本発明の実施例に係る基地局装置２００について説明する。【００７６】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。【００７７】
下りリンクにより基地局装置２００から移動局１００ｎに送信されるユーザデータは、基地局装置２００の上位に位置する上位局、例えばアクセスゲートウェイ装置３００から伝送路インターフェース２１２を介してベースバンド信号処理部２０８に入力される。【００７８】
ベースバンド信号処理部２０８では、ユーザデータの分割・結合、ＲＬＣ（ｒａｄｉｏ  ｌｉｎｋ  ｃｏｎｔｒｏｌ）再送制御の送信処理などのＲＬＣレイヤーの送信処理、ＭＡＣ（Ｍｅｄｉｕｍ  Ａｃｃｅｓｓ  Ｃｏｎｔｒｏｌ）再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、下りリンク制御チャネルである下りＬ１／Ｌ２制御チャネルの信号に関しても、チャネル符号化や逆高速フーリエ変換等の送信処理が行われて、送受信部２０６に転送される。【００７９】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００８０】
一方、上りリンクにより移動局１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００８１】
ベースバンド信号処理部２０８では、入力されたベースバンド信号に含まれるユーザデータに対して、ＦＦＴ処理、誤り訂正復号、ＭＡＣ再送制御の受信処理、ＲＬＣレイヤーの受信処理がなされ、伝送路インターフェース２１２を介してアクセスゲートウェイ装置３００に転送される。【００８２】
図８及び図９を用いて説明を行った、本発明の実施例に係るＭｅｓｓａｇｅ３のＨＡＲＱの処理に係る基地局装置２００の処理は、図１１におけるベースバンド信号処理部２０８において行われる。すなわち、ベースバンド信号処理部２０８は、第１の信号としてのランダムアクセス手順におけるＭｅｓｓａｇｅ３を復号する復号部と、該Ｍｅｓｓａｇｅ３の復号結果に基づいて、Ｍｅｓｓａｇｅ３を正常に受信しなかった場合に、Ｍｅｓｓａｇｅ３の再送のための制御信号としての下りリンクの制御チャネルにマッピングされるＵＬ  Ｇｒａｎｔを移動局に送信する送信部とを備える。また、送信部は、再送されたＭｅｓｓａｇｅ３に対する送達確認情報を移動局に送信する。ここで、ＵＬ  Ｇｒａｎｔとは、上りリンクの周波数リソースの割り当て情報、識別情報、データサイズ、変調方式、送信電力の少なくとも１つを示す信号である。【００８３】
呼処理部２１０は、通信チャネルの設定や解放等の呼処理や、基地局装置２００の状態管理や、無線リソースの管理を行う。【００８４】
図１２を参照しながら、本実施例による移動局で使用される通信制御方法について説明する。【００８５】
移動局１００ｎは、ランダムアクセス手順における1つ目の手順である、Ｒａｎｄｏｍ  Ａｃｃｅｓｓ  Ｐｒｅａｍｂｌｅの手順を行う。すなわち、移動局１００ｎは、Ｍｅｓｓａｇｅ１を基地局装置２００に送信する（ステップＳ９０２）。【００８６】
移動局１００ｎは、ランダムアクセス手順における２つ目の手順である、Ｒａｎｄｏｍ  Ａｃｃｅｓｓ  Ｒｅｓｐｏｎｓｅの手順を行う。すなわち、移動局１００ｎは、基地局装置２００から送信される、上記Ｍｅｓｓａｇｅ１に対するＭｅｓｓａｇｅ２を受信する（ステップＳ９０４）。【００８７】
移動局１００ｎは、上記Ｍｅｓｓａｇｅ２に含まれるＵＬ  Ｓｃｈｅｄｕｌｉｎｇ  Ｇｒａｎｔに基づき、所定のタイミング（図８及び図９におけるサブフレーム＃ｉ＋３）において、Ｍｅｓｓａｇｅ３を、基地局装置２００に送信する（ステップＳ９０６）。【００８８】
移動局１００ｎは、所定のタイミング（図８及び図９におけるサブフレーム＃ｉ＋６）において、物理下りリンク制御チャネルにおけるＵＬ  Ｓｃｈｅｄｕｌｉｎｇ  Ｇｒａｎｔの受信を試み、上記物理下りリンク制御チャネルにおけるＵＬ  Ｓｃｈｅｄｕｌｉｎｇ  Ｇｒａｎｔを受信するか否かを判定する（ステップＳ９０８）。ここで、上記物理下りリンク制御チャネルにおけるＵＬ  Ｓｃｈｅｄｕｌｉｎｇ  Ｇｒａｎｔを受信するとは、上記物理下りリンク制御チャネルにおけるＵＬ  Ｓｃｈｅｄｕｌｉｎｇ  Ｇｒａｎｔを正しく復号できる、すなわち、ＣＲＣ  ｃｈｅｃｋ結果がＯＫであることに相当してもよい。【００８９】
上記物理下りリンク制御チャネルにおけるＵＬ  Ｓｃｈｅｄｕｌｉｎｇ  Ｇｒａｎｔを受信する場合（ステップＳ９０８：ＹＥＳ）、移動局１００ｎは、上記ＵＬ  Ｓｃｈｅｄｕｌｉｎｇ  Ｇｒａｎｔに基づき、Ｍｅｓｓａｇｅ３を再送する（ステップＳ９１０）。【００９０】
そして、移動局１００ｎは、所定のタイミングにおいて、上記再送したＭｅｓｓａｇｅ３に対する送達確認情報がＡＣＫであるかＮＡＣＫであるかを判定する。すなわち、上記再送したＭｅｓｓａｇｅ３に対する、物理下りリンク制御チャネルにおけるＡｃｋｎｏｗｌｅｇｅｍｅｎｔ  ｉｎｆｏｒｍａｔｉｏｎとして、ＮＡＣＫを受信するか否かを判定する（ステップＳ９１２）。尚、ステップＳ９１２において、移動局１００ｎは、上記物理下りリンク制御チャネルにおけるＡｃｋｎｏｗｌｅｇｅｍｅｎｔ  ｉｎｆｏｒｍａｔｉｏｎがＮＡＣＫであるか否かに基づいて、再送のＭｅｓｓａｇｅ３の復号結果がＮＧであったか否かを判定したが、代わりに、初回送信のＭｅｓｓａｇｅ３と同様に、物理下りリンク制御チャネルにおけるＵＬ  Ｓｃｈｅｄｕｌｉｎｇ  Ｇｒａｎｔを受信するか否かで、再送のＭｅｓｓａｇｅ３の復号結果がＮＧであったか否かを判定してもよい。あるいは、上記物理下りリンク制御チャネルにおけるＡｃｋｎｏｗｌｅｇｅｍｅｎｔ  ｉｎｆｏｒｍａｔｉｏｎがＮＡＣＫであるか否かと、物理下りリンク制御チャネルにおけるＵＬ  Ｓｃｈｅｄｕｌｉｎｇ  Ｇｒａｎｔを受信するか否かの両方に基づいて、再送のＭｅｓｓａｇｅ３の復号結果がＮＧであったか否かを判定してもよい。【００９１】
物理下りリンク制御チャネルにおけるＡｃｋｎｏｗｌｅｇｅｍｅｎｔ  ｉｎｆｏｒｍａｔｉｏｎとして、ＮＡＣＫを受信する場合（ステップＳ９１２：ＹＥＳ）、移動局１００ｎは、Ｍｅｓｓａｇｅ３を再送する（ステップＳ９１０）。尚、ステップＳ９１０におけるＭｅｓｓａｇｅ３を再送する処理は、ステップＳ９１２における処理で、物理下りリンク制御チャネルにおけるＡｃｋｎｏｗｌｅｇｅｍｅｎｔ  ｉｎｆｏｒｍａｔｉｏｎとしてＡＣＫを受信するまで、あるいは、Ｍｅｓｓａｇｅ３の最大再送回数が満了するまで、繰り返し行われる。【００９２】
一方、ステップＳ９０８で、上記物理下りリンク制御チャネルにおけるＵＬ  Ｓｃｈｅｄｕｌｉｎｇ  Ｇｒａｎｔを受信しない場合（ステップＳ９０８：ＮＯ）、または、ステップＳ９１２で、物理下りリンク制御チャネルにおけるＡｃｋｎｏｗｌｅｇｅｍｅｎｔ  ｉｎｆｏｒｍａｔｉｏｎとしてＮＡＣＫを受信しない（ＡＣＫを受信する）場合（ステップＳ９１２：ＮＯ）、移動局１００ｎは、所定のタイマーが満了するまでに、Ｍｅｓｓａｇｅ４を受信するか否かを判定する（ステップＳ９１４）。ここで、所定のタイマーは、例えば、初回のＭｅｓｓａｇｅ３を送信したサブフレームから起動してもよいし、上記物理下りリンク制御チャネルにおけるＵＬ  Ｓｃｈｅｄｕｌｉｎｇ  Ｇｒａｎｔを受信しないと判定したサブフレームから起動してもよい。【００９３】
所定のタイマーが満了するまでに、Ｍｅｓｓａｇｅ４を受信する場合（ステップ９１４：ＹＥＳ）、処理を終了する。【００９４】
一方、所定のタイマーが満了するまでに、Ｍｅｓｓａｇｅ４を受信しない場合（ステップＳ９１４：ＮＯ）、移動局１００ｎは、ランダムアクセス手順を、1つ目の手順からやり直すと判断し（ステップＳ９１６）、ステップＳ９０２に進む。【００９５】
図１３を参照しながら、本実施例による基地局装置で使用される通信制御方法について説明する。【００９６】
基地局装置２００は、ランダムアクセス手順における1つ目の手順である、Ｒａｎｄｏｍ  Ａｃｃｅｓｓ  Ｐｒｅａｍｂｌｅの手順を行う。すなわち、基地局装置２００は、Ｍｅｓｓａｇｅ１を移動局１００ｎより受信する（ステップＳ１００２）。【００９７】
基地局装置２００は、ランダムアクセス手順における２つ目の手順である、Ｒａｎｄｏｍ  Ａｃｃｅｓｓ  Ｒｅｓｐｏｎｓｅの手順を行う。すなわち、基地局装置２００は、移動局１００ｎに対して、上記Ｍｅｓｓａｇｅ１に対するＭｅｓｓａｇｅ２を送信する（ステップＳ１００４）。【００９８】
基地局装置２００は、所定のタイミング（図８及び図９におけるサブフレーム＃ｉ＋３）において、移動局１００ｎから送信される初回送信のＭｅｓｓａｇｅ３の受信を試み、その復号結果がＮＧであるか否かを判定する（ステップＳ１００６）。【００９９】
上記初回送信のＭｅｓｓａｇｅ３の復号結果がＮＧである場合（ステップＳ１００６：ＹＥＳ）、所定のタイミング（図８及び図９におけるサブフレーム＃ｉ＋６）において、物理下りリンク制御チャネルにより、再送のＭｅｓｓａｇｅ３のためのＵＬ  Ｓｃｈｅｄｕｌｉｎｇ  Ｇｒａｎｔを移動局１００ｎに対して送信する（ステップＳ１００８）。【０１００】
そして、ステップＳ１０１０において、所定のタイミングにおいて、再送のＭｅｓｓａｇｅ３の受信を試み、上記再送のＭｅｓｓａｇｅ３の復号結果がＮＧであるか否かを判定する（ステップＳ１０１０）。【０１０１】
上記再送のＭｅｓｓａｇｅ３の復号結果がＮＧである場合（ステップＳ１０１０：ＹＥＳ）、所定のタイミングにおいて、当該移動局１００ｎに対して物理下りリンク制御チャネルにおけるＡｃｋｎｏｗｌｅｄｇｅｍｅｎｔ  ｉｎｆｏｒｍａｔｉｏｎとしてＮＡＣＫを送信する（ステップＳ１０１２）。ここで、基地局装置２００は、再送のＭｅｓｓａｇｅ３の復号結果がＮＧである場合に、当該移動局１００ｎに対して物理下りリンク制御チャネルにおけるＡｃｋｎｏｗｌｅｄｇｅｍｅｎｔ  ｉｎｆｏｒｍａｔｉｏｎとしてＮＡＣＫを送信したが、代わりに、初回送信のＭｅｓｓａｇｅ３の場合と同様に、当該移動局１００ｎに対して物理下りリンク制御チャネルにおけるＵＬ  Ｓｃｈｅｄｕｌｉｎｇ  Ｇｒａｎｔにより、再送のＭｅｓｓａｇｅ３のためのＵＬ  Ｓｃｈｅｄｕｌｉｎｇ  Ｇｒａｎｔを送信してもよい。あるいは、基地局装置２００は、再送のＭｅｓｓａｇｅ３の復号結果がＮＧである場合に、物理下りリンク制御チャネルにおけるＡｃｋｎｏｗｌｅｄｇｅｍｅｎｔ  ｉｎｆｏｒｍａｔｉｏｎとしてのＮＡＣＫと、物理下りリンク制御チャネルにおける、再送のＭｅｓｓａｇｅ３のためのＵＬ  Ｓｃｈｅｄｕｌｉｎｇ  Ｇｒａｎｔの両方を送信してもよい。【０１０２】
そして、基地局装置２００は、ステップＳ１０１２の処理の後、再びステップＳ１０１０の処理を行う。すなわち、所定のタイミングにおいて、再送のＭｅｓｓａｇｅ３の受信を試み、上記再送のＭｅｓｓａｇｅ３の復号結果がＮＧであるか否かを判定する（ステップＳ１０１０）。尚、上述したステップＳ１０１０とステップＳ１０１２の処理は、ステップＳ１０１０において、上記再送のＭｅｓｓａｇｅ３の復号結果がＮＧでないと判定するまで、あるいは、Ｍｅｓｓａｇｅ３の最大再送回数が満了するまで、繰り返し行われる。【０１０３】
一方、上記再送のＭｅｓｓａｇｅ３の復号結果がＮＧでない場合（ステップＳ１０１０：ＮＯ）、所定のタイミングにおいて、当該移動局１００ｎに対して物理下りリンク制御チャネルにおけるＡｃｋｎｏｗｌｅｄｇｅｍｅｎｔ  ｉｎｆｏｒｍａｔｉｏｎとしてＡＣＫを送信する（ステップＳ１０１４）。【０１０４】
一方、上記初回送信のＭｅｓｓａｇｅ３の復号結果がＮＧでない場合（ステップＳ１００６：ＮＯ）、あるいは、ステップＳ１０１４の処理の後、基地局装置２００は、Ｍｅｓｓａｇｅ４を移動局１００ｎに対して送信する（ステップＳ１０１６）。【０１０５】
本実施例によれば、ランダムアクセス手順において、効率が良く、かつ、高品質を保証された、Ｍｅｓｓａｇｅ３に関するＨＡＲＱの処理を行うことのできる基地局装置、移動局、無線通信システム及び通信制御方法を実現することができる。【０１０６】
上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例が説明されたが、本発明に係る移動局、基地局装置、移動通信システム及び通信制御方法は、共有チャネルを用いた通信を行う他のシステムにも適用可能である。
（本発明の他の実施例１）
以下に本発明の他の実施例を示す。【０１０７】
本実施例においては、上述した無線通信システム１０００の構成や、移動局１００ｎの構成、基地局装置２００の構成は、上述した実施例と同一であるため、その説明は省略する。異なる点としては，移動局１００ｎにおけるベースバンド信号処理部１０８と、基地局装置２００におけるベースバンド信号処理部２０８に関する以下の点である。【０１０８】
すなわち、後述する、図１４及び図１５を用いて説明を行う、本発明の実施例に係る、Ｍｅｓｓａｇｅ３のＨＡＲＱに係る移動局１００ｎの処理は、図１０におけるベースバンド信号処理部１０８において行われる。すなわち。ベースバンド信号処理部１０８は、基地局装置２００に第１の信号としてのランダムアクセス手順におけるＭｅｓｓａｇｅ３を送信する送信部と、基地局装置２００から、Ｍｅｓｓａｇｅ４を受信するまで、上記Ｍｅｓｓａｇｅ３を再送する再送部と、上記基地局装置２００からのＭｅｓｓａｇｅ４を受信する受信部とを備える。また、後述する、図１４及び図１５を用いて説明を行う、本発明の実施例に係る、Ｍｅｓｓａｇｅ３のＨＡＲＱに係る基地局装置２００の処理は、図１１におけるベースバンド信号処理部２０８において行われる。すなわち、ベースバンド信号処理部２０８は、第１の信号としてのランダムアクセス手順におけるＭｅｓｓａｇｅ３を復号する復号部と、該Ｍｅｓｓａｇｅ３の復号結果に基づいて、Ｍｅｓｓａｇｅ３を正常に受信しなかった場合に、移動局から再送されるＭｅｓｓａｇｅ３を受信する受信部と、Ｍｅｓｓａｇｅ３を正常に受信した場合に、移動局に再送されるＭｅｓｓａｇｅ４を送信する送信部とを備える。  本実施例に係る、ランダムアクセス手順におけるＭｅｓｓａｇｅ３のＨＡＲＱの適用方法を、図１４及び図１５を用いて、以下に詳しく説明する。【０１０９】
本実施例においては、基地局装置２００は、Ｍｅｓｓａｇｅ３の復号結果（ＣＲＣ  ｃｈｅｃｋ結果）がＯＫの場合に、上記Ｍｅｓｓａｇｅ３を送信した移動局１００ｎに対して、Ｍｅｓｓａｇｅ４を送信し、Ｍｅｓｓａｇｅ３の復号結果（ＣＲＣ  Ｃｈｅｃｋ結果）がＮＧの場合に、Ｍｅｓｓａｇｅ３を送信した移動局１００ｎに対して送達確認情報を送信しない（何も送信しない）ことにより、実現される。この場合、移動局１００ｎは、Ｍｅｓｓａｇｅ４を受信するまで、所定のタイミングにおいて、上記Ｍｅｓｓａｇｅ３を再送する。【０１１０】
以下では、ランダムアクセス手順における３つ目の手順であるＳｃｈｅｄｕｌｅｄ  Ｔｒａｎｓｍｉｓｓｉｏｎの手順に関して、さらに詳細に説明を行う。【０１１１】
まず、Ｍｅｓｓａｇｅ３の復号結果がＮＧの場合を説明する。【０１１２】
１１０２において、基地局装置２００は、Ｍｅｓｓａｇｅ２に関するＤＬ  Ｓｃｈｅｄｕｌｉｎｇ  Ｇｒａｎｔを物理下りリンク制御チャネルにより送信し、かつ、同じサブフレーム内の下りリンクの共有チャネルを用いてＭｅｓｓａｇｅ２を移動局に送信する。そして、移動局１００ｎは、物理下りリンク制御チャネルにおける上記Ｍｅｓｓａｇｅ２に関するＤＬ  Ｓｃｈｅｄｕｌｉｎｇ  Ｇｒａｎｔを受信し、かつ、上記Ｍｅｓｓａｇｅ２に関するＤＬ  Ｓｃｈｅｄｕｌｉｎｇ  Ｇｒａｎｔに基づき、上記Ｍｅｓｓａｇｅ２を受信する。上記Ｍｅｓｓａｇｅ２には、Ｍｅｓｓａｇｅ３に関するＵＬ  Ｓｃｈｅｄｕｌｉｎｇ  Ｇｒａｎｔが含まれている。【０１１３】
１１０４において、移動局１００ｎは、所定のタイミング（サブフレーム＃ｉ＋３）において、上記ＵＬ  Ｓｃｈｅｄｕｌｉｎｇ  Ｇｒａｎｔに基づき、Ｍｅｓｓａｇｅ３を送信する。そして、基地局装置２００は、上記Ｍｅｓｓａｇｅ３を受信し、上記Ｍｅｓｓａｇｅ３の復号を行う。【０１１４】
上記Ｍｅｓｓａｇｅ３の復号結果（ＣＲＣ  ｃｈｅｃｋ結果）がＮＧの場合に、基地局装置２００は、所定のタイミング（サブフレーム＃ｉ＋６）においては、移動局１００ｎに対して、どのような信号も送信せず（１１０６）、所定のタイミング（サブフレーム＃ｉ＋９）において、移動局１００ｎから送信される再送のＭｅｓｓａｇｅ３の受信を行う（１１０８）。一方、移動局１００ｎは、基地局装置２００からＭｅｓｓａｇｅ４を受信しない限り、所定のタイミング（例えば、１１０８）において、Ｍｅｓｓａｇｅ３の再送を行う。例えば、Ｍｅｓｓａｇｅ３の再送が行われるタイミングは、図８及び図９における＃ｉ＋３＋６×ｍ(ｍ：任意の自然数)と設定することができる。あるいは、上述したＭｅｓｓａｇｅ３の再送は、連続するサブフレームで行われてもよい。上記１１０６と１１０８の処理は、Ｍｅｓｓａｇｅ３の復号結果（ＣＲＣ  ｃｈｅｃｋ結果）がＯＫとなり、基地局装置２００から、移動局１００ｎにＭｅｓｓａｇｅ４が送信されるまで繰り返される。あるいは、上記１１０６と１１０８の処理は、Ｍｅｓｓａｇｅ３の最大再送回数が満了するまで繰り返される。Ｍｅｓｓａｇｅ３の復号結果（ＣＲＣ  ｃｈｅｃｋ結果）がＯＫとなった場合の処理は後述する。【０１１５】
次に、Ｍｅｓｓａｇｅ３の復号結果がＯＫの場合を説明する。尚、図１５においては、初回送信のＭｅｓｓａｇｅ３の復号結果がＯＫの場合を記載しているが、初回送信のＭｅｓｓａｇｅ３に限らず、再送のＭｅｓｓａｇｅ３の復号結果がＯＫの場合にも、同様の処理が適用される。【０１１６】
１１１０において、基地局装置２００は、Ｍｅｓｓａｇｅ２に関するＤＬ  Ｓｃｈｅｄｕｌｉｎｇ  Ｇｒａｎｔを物理下りリンク制御チャネルにより送信し、かつ、同じサブフレーム内の下りリンクの共有チャネルを用いてＭｅｓｓａｇｅ２を移動局に送信する。そして、移動局１００ｎは、物理下りリンク制御チャネルにおける上記Ｍｅｓｓａｇｅ２に関するＤＬ  Ｓｃｈｅｄｕｌｉｎｇ  Ｇｒａｎｔを受信し、かつ、上記Ｍｅｓｓａｇｅ２に関するＤＬ  Ｓｃｈｅｄｕｌｉｎｇ  Ｇｒａｎｔに基づき、上記Ｍｅｓｓａｇｅ２を受信する。上記Ｍｅｓｓａｇｅ２には、Ｍｅｓｓａｇｅ３に関するＵＬ  Ｓｃｈｅｄｕｌｉｎｇ  Ｇｒａｎｔが含まれている。【０１１７】
１１１２において、移動局１００ｎは、所定のタイミング（サブフレーム＃ｉ＋３）において、上記ＵＬ  Ｓｃｈｅｄｕｌｉｎｇ  Ｇｒａｎｔに基づき、Ｍｅｓｓａｇｅ３を送信する。そして、基地局装置２００は、上記Ｍｅｓｓａｇｅ３を受信し、上記Ｍｅｓｓａｇｅ３の復号を行う。【０１１８】
上記Ｍｅｓｓａｇｅ３の復号結果（ＣＲＣ  ｃｈｅｃｋ結果）がＯＫの場合に、基地局装置２００は、所定のタイミング（サブフレーム＃ｉ＋６）において、移動局１００ｎに上記Ｍｅｓｓａｇｅ３に対する送達確認情報を送信しない（何も送信しない）（１１１４）。そして、基地局装置２００は、例えば、サブフレーム＃ｉ＋７において、ランダムアクセス手順の4つ目の手順におけるＭｅｓｓａｇｅ４を移動局１００ｎに送信する。Ｍｅｓｓａｇｅ４は、Ｍｅｓｓａｇｅ４に関するＤＬ  Ｓｃｈｅｄｕｌｉｎｇ  Ｇｒａｎｔを含む物理下りリンク制御チャネルとともに送信される。移動局１００ｎは、物理下りリンク制御チャネルにおける上記Ｍｅｓｓａｇｅ４に関するＤＬ  Ｓｃｈｅｄｕｌｉｎｇ  Ｇｒａｎｔを受信し、かつ、上記Ｍｅｓｓａｇｅ４に関するＤＬ  Ｓｃｈｅｄｕｌｉｎｇ  Ｇｒａｎｔに基づき、上記Ｍｅｓｓａｇｅ４を受信する。移動局１００ｎは、Ｍｅｓｓａｇｅ４を受信したことにより、Ｍｅｓｓａｇｅ３が基地局装置２００において正常に復号された（ＣＲＣ  ｃｈｅｃｋがＯＫだった）と判断する。ここで、移動局１００ｎは、全てのＭｅｓｓａｇｅ４を受信することにより、Ｍｅｓｓａｇｅ３が基地局装置２００において正常に復号された（ＣＲＣ  ｃｈｅｃｋがＯＫだった）と判断する代わりに、上記Ｍｅｓｓａｇｅ４に関する、ＤＬ  Ｓｃｈｅｄｕｌｉｎｇ  Ｇｒａｎｔを含む物理下りリンク制御チャネルを受信することにより、Ｍｅｓｓａｇｅ３が基地局装置２００において正常に復号された（ＣＲＣ  ｃｈｅｃｋがＯＫだった）と判断してもよい。【０１１９】
この場合、移動局１００ｎは、もはやＭｅｓｓａｇｅ３を送信する必要はないため、１１１８においてＭｅｓｓａｇｅ３の再送を行わない。【０１２０】
尚、上述した図１４及び図１５においては、ＨＡＲＱのプロセス数が６である場合を示したが、ＨＡＲＱのプロセス数が６以外の値、例えば、８の場合にも、同様の方法を適用することが可能である。【０１２１】
このように、物理下りリンク制御チャネルにおいてＵＬ  Ｓｃｈｅｄｕｌｉｎｇ  Ｇｒａｎｔが送信されない初回送信のＵＬ  Ｓｃｈｅｄｕｌｉｎｇ  Ｇｒａｎｔに対する送達確認情報は、ＡＣＫの場合に次のメッセージ、すなわち、Ｍｅｓｓａｇｅ４を送信する、ＮＡＣＫの場合に、何も送信しない、という送信方法を適用することにより、効率の良い、オーバヘッドの少ないＭｅｓｓａｇｅ３のＨＡＲＱを実現することができる。尚、上記送信方法において、移動局１００ｎは、Ｍｅｓｓａｇｅ４を受信するまで、所定のタイミングでＭｅｓｓａｇｅ３の再送を行う。【０１２２】
図１６を参照しながら、本実施例による移動局で使用される通信制御方法について説明する。【０１２３】
移動局１００ｎは、ランダムアクセス手順における1つ目の手順である、Ｒａｎｄｏｍ  Ａｃｃｅｓｓ  Ｐｒｅａｍｂｌｅの手順を行う。すなわち、移動局１００ｎは、Ｍｅｓｓａｇｅ１を基地局装置２００に送信する（ステップＳ１２０２）。【０１２４】
移動局１００ｎは、ランダムアクセス手順における２つ目の手順である、Ｒａｎｄｏｍ  Ａｃｃｅｓｓ  Ｒｅｓｐｏｎｓｅの手順を行う。すなわち、移動局１００ｎは、基地局装置２００から送信される、上記Ｍｅｓｓａｇｅ１に対するＭｅｓｓａｇｅ２を受信する（ステップＳ１２０４）。【０１２５】
移動局１００ｎは、上記Ｍｅｓｓａｇｅ２に含まれるＵＬ  Ｓｃｈｅｄｕｌｉｎｇ  Ｇｒａｎｔに基づき、所定のタイミング（図１４及び図１５におけるサブフレーム＃ｉ＋３）において、Ｍｅｓｓａｇｅ３を、基地局装置２００に送信する（ステップＳ１２０６）。【０１２６】
移動局１００ｎは、所定のタイミング（図１４及び図１５におけるサブフレーム＃ｉ＋７）において、Ｍｅｓｓａｇｅ４の受信を試み、上記Ｍｅｓｓａｇｅ４を受信するか否かを判定する（ステップＳ１２０８）。【０１２７】
上記Ｍｅｓｓａｇｅ４を受信する場合（ステップＳ１２０８：ＹＥＳ）、移動局１００ｎは本処理を終了する。【０１２８】
上記Ｍｅｓｓａｇｅ４を受信しない場合（ステップＳ１２０８：ＮＯ）、移動局１００ｎは、所定のタイミング（例えば、２回目の送信であれば、図１４及び図１５におけるサブフレーム＃ｉ＋９）において、Ｍｅｓｓａｇｅ３を再送する。その後、ステップＳ１２０８の処理に進む。尚、ステップＳ１２０８とステップＳ１２１０の処理は、Ｍｅｓｓａｇｅ４を受信するか、Ｍｅｓｓａｇｅ３の最大再送回数が満了するまで行われる。【０１２９】
図１７を参照しながら、本実施例による基地局装置で使用される通信制御方法について説明する。【０１３０】
基地局装置２００は、ランダムアクセス手順における1つ目の手順である、Ｒａｎｄｏｍ  Ａｃｃｅｓｓ  Ｐｒｅａｍｂｌｅの手順を行う。すなわち、基地局装置２００は、Ｍｅｓｓａｇｅ１を移動局１００ｎより受信する（ステップＳ１３０２）。【０１３１】
基地局装置２００は、ランダムアクセス手順における２つ目の手順である、Ｒａｎｄｏｍ  Ａｃｃｅｓｓ  Ｒｅｓｐｏｎｓｅの手順を行う。すなわち、基地局装置２００は、基移動局１００ｎに対して、上記Ｍｅｓｓａｇｅ１に対するＭｅｓｓａｇｅ２を送信する（ステップＳ１３０４）。【０１３２】
基地局装置２００は、所定のタイミングにおいて、移動局１００ｎから送信される初回送信のＭｅｓｓａｇｅ３を受信する（ステップＳ１３０６）。【０１３３】
基地局装置２００は、上記Ｍｅｓｓａｇｅ３の復号結果がＮＧであるか否かを判定する（ステップＳ１３０８）。【０１３４】
上記Ｍｅｓｓａｇｅ３の復号結果がＮＧである場合（ステップＳ１３０８：ＹＥＳ）、所定のタイミングにおいて、移動局１００ｎから再送されるＭｅｓｓａｇｅ３を受信する。すなわち、ステップＳ１３０６に進む。ステップＳ１３０６とステップＳ１３０８の処理は、移動局１００ｎから送信されるＭｅｓｓａｇｅ３の復号結果がＯＫになるまで、あるいは、Ｍｅｓｓａｇｅ３の最大再送回数が満了するまで行われる。【０１３５】
上記Ｍｅｓｓａｇｅ３の復号結果がＮＧでない場合（ステップＳ１３０８：ＮＯ）、移動局１００ｎに対して、Ｍｅｓｓａｇｅ４を送信する（ステップＳ１３１０）。
（本発明の他の実施例２）
以下に本発明の他の実施例２を示す。【０１３６】
本実施例においては、上述した無線通信システム１０００の構成や、移動局１００ｎの構成、基地局装置２００の構成は、上述した実施例と同一であるため、その説明は省略する。異なる点としては，移動局１００ｎにおけるベースバンド信号処理部１０８と、基地局装置２００におけるベースバンド信号処理部２０８に関する以下の点である。【０１３７】
すなわち、後述する、図１８を用いて説明を行う、本発明の実施例に係る、Ｍｅｓｓａｇｅ３のＨＡＲＱに係る移動局１００ｎの処理は、図１０におけるベースバンド信号処理部１０８において行われる。すなわち。ベースバンド信号処理部１０８は、基地局装置２００に第１の信号としてのランダムアクセス手順におけるＭｅｓｓａｇｅ３を送信する送信部と、上記Ｍｅｓｓａｇｅ３に対する送達確認情報がマッピングされている、Ｍｅｓｓａｇｅ３のための特殊なＵＬ  Ｓｃｈｅｄｕｌｉｎｇ  Ｇｒａｎｔを受信する受信部とを備える。また、後述する、図１８を用いて説明を行う、本発明の実施例に係る、Ｍｅｓｓａｇｅ３のＨＡＲＱに係る基地局装置２００の処理は、図１１におけるベースバンド信号処理部２０８において行われる。すなわち、ベースバンド信号処理部２０８は、第１の信号としてのランダムアクセス手順におけるＭｅｓｓａｇｅ３を復号する復号部と、該Ｍｅｓｓａｇｅ３の復号結果に基づいて、該Ｍｅｓｓａｇｅ３の送達確認情報を、Ｍｅｓｓａｇｅ３のための特殊なＵＬ  Ｓｃｈｅｄｕｌｉｎｇ  Ｇｒａｎｔを用いて送信する送信部とを備える。【０１３８】
本実施例に係る、ランダムアクセス手順におけるＭｅｓｓａｇｅ３のＨＡＲＱの適用方法を、図１８を用いて、以下に詳しく説明する。【０１３９】
本実施例においては、基地局装置２００は、Ｍｅｓｓａｇｅ３の送達確認情報を、物理下りリンク制御チャネルにおける特殊なＵＬ  Ｓｃｈｅｄｕｌｉｎｇ  Ｇｒａｎｔとして移動局１００ｎに送信することにより実現される。【０１４０】
以下では、ランダムアクセス手順における３つ目の手順であるＳｃｈｅｄｕｌｅｄ  Ｔｒａｎｓｍｉｓｓｉｏｎの手順に関して、さらに詳細に説明を行う。【０１４１】
１４０２において、基地局装置２００は、Ｍｅｓｓａｇｅ２に関するＤＬ  Ｓｃｈｅｄｕｌｉｎｇ  Ｇｒａｎｔを物理下りリンク制御チャネルにより送信し、かつ、同じサブフレーム内の下りリンクの共有チャネルを用いてＭｅｓｓａｇｅ２を移動局に送信する。そして、移動局１００ｎは、物理下りリンク制御チャネルにおける上記Ｍｅｓｓａｇｅ２に関するＤＬ  Ｓｃｈｅｄｕｌｉｎｇ  Ｇｒａｎｔを受信し、かつ、上記Ｍｅｓｓａｇｅ２に関するＤＬ  Ｓｃｈｅｄｕｌｉｎｇ  Ｇｒａｎｔに基づき、上記Ｍｅｓｓａｇｅ２を受信する。上記Ｍｅｓｓａｇｅ２には、Ｍｅｓｓａｇｅ３に関するＵＬ  Ｓｃｈｅｄｕｌｉｎｇ  Ｇｒａｎｔが含まれている。【０１４２】
１４０４において、移動局１００ｎは、所定のタイミング（サブフレーム＃ｉ＋３）において、上記ＵＬ  Ｓｃｈｅｄｕｌｉｎｇ  Ｇｒａｎｔに基づき、Ｍｅｓｓａｇｅ３を送信する。そして、基地局装置２００は、上記Ｍｅｓｓａｇｅ３を受信し、上記Ｍｅｓｓａｇｅ３の復号を行う。【０１４３】
１４０６において、基地局装置２００は、上記Ｍｅｓｓａｇｅ３の送達確認情報を、物理下りリンク制御チャネルにおける特殊なＵＬ  Ｓｃｈｅｄｕｌｉｎｇ  Ｇｒａｎｔとして移動局１００ｎに送信する。【０１４４】
図１９に、上記特殊なＵＬ  Ｓｃｈｅｄｕｌｉｎｇ  Ｇｒａｎｔの構成例を示す。【０１４５】
一般に、ランダムアクセス手順の２番目の手順であるＲａｎｄｏｍ  Ａｃｃｅｓｓ  Ｒｅｓｐｏｎｓｅの手順におけるＭｅｓｓａｇｅ２は複数の移動局に対して送信される。図１９における、移動局１００１や移動局１００９、移動局１００１２は一例である。すなわち、図１９に示すように、特殊なＵＬ  Ｓｃｈｅｄｕｌｉｎｇ  Ｇｒａｎｔは、Ｍｅｓｓａｇｅ２が送信された全ての移動局に対する送達確認情報で構成され、かつ、Ｍｅｓｓａｇｅ２の送信の際に使用されたＲＡ−ＲＮＴＩ（Ｒａｎｄｏｍ  Ａｃｃｅｓｓ−ｒａｄｉｏ  ｎｅｔｗｏｒｋ  ｔｅｍｐｏｒａｒｙ  ｉｄｅｎｔｉｆｉｅｒ）が、ＵＥ  ＩＤとして使用される。ＲＡ−ＲＮＴＩは、ＣＲＣにマスキングされる。ここで、ＲＡ−ＲＮＴＩは、ランダムアクセス手順の１番目の手順における、ランダムアクセスプリアンブルが送信される周波数帯域に1対１対応する識別情報であり、Ｍｅｓｓａｇｅ２が送信される際の、Ｍｅｓｓａｇｅ２のためのＤＬ  Ｓｃｈｅｄｕｌｉｎｇ  ＧｒａｎｔのＵＥ  ＩＤとして使用される。【０１４６】
そして、上記特殊なＵＬ  Ｓｃｈｅｄｕｌｉｎｇ  Ｇｒａｎｔの情報ビットは、通常のＵＬ  Ｓｃｈｅｄｕｌｉｎｇ  Ｇｒａｎｔと同一のビット数となるようにチャネル符号化される。上記特殊なＵＬ  Ｓｃｈｅｄｕｌｉｎｇ  Ｇｒａｎｔのチャネル符号化後のビットは、通常のＵＬ  Ｓｃｈｅｄｕｌｉｎｇ  Ｇｒａｎｔと同様に、物理下りリンク制御チャネル内のＵＬ  Ｓｃｈｅｕｄｕｌｉｎｇ  Ｇｒａｎｔがマッピングされるサブキャリアに、通常のＵＬ  Ｓｃｈｅｄｕｌｉｎｇ  Ｇｒａｎｔと多重されて、マッピングされる。ここで、移動局１００ｎにおける受信の処理負荷を低減するため、上記特殊なＵＬ  Ｓｃｈｅｄｕｌｉｎｇ  Ｇｒａｎｔのチャネル符号化後のビットがマッピングされる場所を固定してもよい。例えば、上記特殊なＵＬ  Ｓｃｈｅｄｕｌｉｎｇ  Ｇｒａｎｔは、ＵＬ  Ｓｃｈｅｄｕｌｉｎｇ  Ｇｒａｎｔ番号が1番のＵＬ  Ｓｃｈｅｄｕｌｉｎｇ  Ｇｒａｎｔとして、送信されるとしてもよい。【０１４７】
また、上述した、特殊なＵＬ  Ｓｃｈｅｄｕｌｉｎｇ  Ｇｒａｎｔの構成例において、各移動局の送達確認情報の順番は、Ｍｅｓｓａｇｅ２にマッピングされる各移動局向けの情報がマッピングされる順番と同一にすることができる。このようにすることにより、移動局１００ｎは、容易に、自分宛の送達確認情報を識別することができる。この場合、上記特殊なＵＬ  Ｓｃｈｅｄｕｌｉｎｇ  Ｇｒａｎｔにおいては、たとえすでにＡＣＫを送信し、送達確認情報を送る必要がない移動局の送達確認情報であっても、未だＡＣＫを送信していない移動局が存在する限り、上記順序を崩さないために、送信されなければならない。すなわち、Ｍｅｓｓａｇｅ２を送信した全ての移動局に対してＡＣＫを送信するまで、上記特殊なＵＬ  Ｓｃｈｅｄｕｌｉｎｇ  Ｇｒａｎｔを所定のタイミングで送信する。【０１４８】
また、上述した図１８においては、ＨＡＲＱのプロセス数が６である場合を示したが、ＨＡＲＱのプロセス数が６以外の値、例えば、８の場合にも、同様の方法を適用することが可能である。【０１４９】
このように、Ｍｅｓｓａｇｅ３のための、物理下りリンク制御チャネルにおける特殊なＵＬ  Ｓｃｈｅｄｕｌｉｎｇ  Ｇｒａｎｔを用いることにより、効率の良い、オーバヘッドの少ないＭｅｓｓａｇｅ３のＨＡＲＱを実現することができる。
（本発明の他の実施例３）
以下に本発明の他の実施例３を示す。【０１５０】
本実施例においては、上述した無線通信システム１０００の構成や、移動局１００ｎの構成、基地局装置２００の構成は、上述した実施例と同一であるため、その説明は省略する。異なる点としては，移動局１００ｎにおけるベースバンド信号処理部１０８と、基地局装置２００におけるベースバンド信号処理部２０８に関する以下の点である。【０１５１】
すなわち、後述する、図２０を用いて説明を行う、本発明の実施例に係る、Ｍｅｓｓａｇｅ３のＨＡＲＱに係る移動局１００ｎの処理は、図１０におけるベースバンド信号処理部１０８において行われる。すなわち。ベースバンド信号処理部１０８は、基地局装置２００に第１の信号としてのランダムアクセス手順におけるＭｅｓｓａｇｅ３を送信する送信部と、上記Ｍｅｓｓａｇｅ３に対する送達確認情報がマッピングされている、Ｍｅｓｓａｇｅ３のための特殊なＡｃｋｎｏｗｌｅｄｇｅｍｅｎｔ  Ｉｎｆｏｒｍａｔｉｏｎを受信する受信部とを備える。また、後述する、図２０を用いて説明を行う、本発明の実施例に係る、Ｍｅｓｓａｇｅ３のＨＡＲＱに係る基地局装置２００の処理は、図１１におけるベースバンド信号処理部２０８において行われる。すなわち、ベースバンド信号処理部２０８は、第１の信号としてのランダムアクセス手順におけるＭｅｓｓａｇｅ３を復号する復号部と、該Ｍｅｓｓａｇｅ３の復号結果に基づいて、該Ｍｅｓｓａｇｅ３の送達確認情報を、Ｍｅｓｓａｇｅ３のための特殊なＡｃｋｎｏｗｌｅｄｇｅｍｅｎｔ  Ｉｎｆｏｒｍａｔｉｏｎを用いて送信する送信部とを備える。【０１５２】
本実施例に係る、ランダムアクセス手順におけるＭｅｓｓａｇｅ３のＨＡＲＱの適用方法を、図２０を用いて、以下に詳しく説明する。【０１５３】
本実施例においては、基地局装置２００は、Ｍｅｓｓａｇｅ３の送達確認情報を、物理下りリンク制御チャネルにおける特殊なＡｃｋｎｏｗｌｅｄｇｅｍｅｎｔ  ｉｎｆｏｒｍａｔｉｏｎとして移動局１００ｎに送信することにより実現される。【０１５４】
以下では、ランダムアクセス手順における３つ目の手順であるＳｃｈｅｄｕｌｅｄ  Ｔｒａｎｓｍｉｓｓｉｏｎの手順に関して、さらに詳細に説明を行う。【０１５５】
１６０２において、基地局装置２００は、Ｍｅｓｓａｇｅ２に関するＤＬ  Ｓｃｈｅｄｕｌｉｎｇ  Ｇｒａｎｔを物理下りリンク制御チャネルにより送信し、かつ、同じサブフレーム内の下りリンクの共有チャネルを用いてＭｅｓｓａｇｅ２を移動局に送信する。そして、移動局１００ｎは、物理下りリンク制御チャネルにおける上記Ｍｅｓｓａｇｅ２に関するＤＬ  Ｓｃｈｅｄｕｌｉｎｇ  Ｇｒａｎｔを受信し、かつ、上記Ｍｅｓｓａｇｅ２に関するＤＬ  Ｓｃｈｅｄｕｌｉｎｇ  Ｇｒａｎｔに基づき、上記Ｍｅｓｓａｇｅ２を受信する。上記Ｍｅｓｓａｇｅ２には、Ｍｅｓｓａｇｅ３に関するＵＬ  Ｓｃｈｅｄｕｌｉｎｇ  Ｇｒａｎｔが含まれている。【０１５６】
１６０４において、移動局１００ｎは、所定のタイミング（サブフレーム＃ｉ＋３）において、上記ＵＬ  Ｓｃｈｅｄｕｌｉｎｇ  Ｇｒａｎｔに基づき、Ｍｅｓｓａｇｅ３を送信する。そして、基地局装置２００は、上記Ｍｅｓｓａｇｅ３を受信し、上記Ｍｅｓｓａｇｅ３の復号を行う。【０１５７】
１６０６において、基地局装置２００は、上記Ｍｅｓｓａｇｅ３の送達確認情報を、物理下りリンク制御チャネルにおける特殊なＡｃｋｎｏｗｌｅｄｇｅｍｅｎｔ  ｉｎｆｏｒｍａｔｉｏｎとして移動局１００ｎに送信する。【０１５８】
図２１に、上記特殊なＡｃｋｎｏｗｌｅｄｇｅｍｅｎｔ  ｉｎｆｏｒｍａｔｉｏｎのサブキャリアマッピングの例を示す。【０１５９】
一般に、ランダムアクセス手順の2番目の手順であるＲａｎｄｏｍ  Ａｃｃｅｓｓ  Ｒｅｓｐｏｎｓｅの手順におけるＭｅｓｓａｇｅ２は複数の移動局に対して送信される。すなわち、図２１に示すように、特殊なＡｃｋｎｏｗｌｅｄｇｅｍｅｎｔ  ｉｎｆｏｒｍａｔｉｏｎは、Ｍｅｓｓａｇｅ２が送信された全ての移動局に関する送達確認情報がマッピングされるサブキャリアが定義される。【０１６０】
ここで、上記Ｍｅｓｓａｇｅ２が送信された全ての移動局に関する送達確認情報がマッピングされるサブキャリアのサブキャリア番号を、Ｍｅｓｓａｇｅ２にマッピングされる各移動局向けの情報がマッピングされる順番、または、マッピングされる位置と関連付けることができる。このようにすることにより、移動局１００ｎは、容易に、自分宛の送達確認情報を識別することができる。
また、上述した図２０においては、ＨＡＲＱのプロセス数が６である場合を示したが、ＨＡＲＱのプロセス数が６以外の値、例えば、８の場合にも、同様の方法を適用することが可能である。【０１６１】
このように、Ｍｅｓｓａｇｅ３のための、物理下りリンク制御チャネルにおける特殊なＡｃｋｎｏｗｌｅｄｅｇｅｍｅｎｔ  ｉｎｆｏｒｍａｔｉｏｎを用いることにより、効率の良い、オーバヘッドの少ないＭｅｓｓａｇｅ３のＨＡＲＱを実現することができる。
（本発明の他の実施例４）
以下に本発明の他の実施例４を示す。【０１６２】
本実施例においては、上述した無線通信システム１０００の構成や、移動局１００ｎの構成、基地局装置２００の構成は、上述した実施例と同一であるため、その説明は省略する。【０１６３】
本実施例に係る、ランダムアクセス手順におけるＭｅｓｓａｇｅ３のＨＡＲＱの適用方法を、図２２を用いて、以下に詳しく説明する。異なる点としては，移動局１００ｎにおけるベースバンド信号処理部１０８と、基地局装置２００におけるベースバンド信号処理部２０８に関する以下の点である。【０１６４】
すなわち、後述する、図２２を用いて説明を行う、本発明の実施例に係る、Ｍｅｓｓａｇｅ３のＨＡＲＱに係る移動局１００ｎの処理は、図１０におけるベースバンド信号処理部１０８において行われる。すなわち。ベースバンド信号処理部１０８は、基地局装置２００から、ＵＬ  Ｓｃｈｅｄｕｌｉｎｇ  Ｇｒａｎｔが含まれないＭｅｓｓａｇｅ２を受信する受信部と、上記Ｍｅｓｓａｇｅ２の後に送信される、Ｍｅｓｓａｇｅ３のためのＵＬ  Ｓｃｈｅｄｕｌｉｎｇ  Ｇｒａｎｔが含まれた物理下りリンク制御チャネルを受信する受信部と、上記ＵＬ  Ｓｃｈｅｄｕｌｉｎｇ  Ｇｒａｎｔに基づいて、ランダムアクセス手順におけるＭｅｓｓａｇｅ３を送信する送信部とを備える。また、後述する、図２２を用いて説明を行う、本発明の実施例に係る、Ｍｅｓｓａｇｅ３のＨＡＲＱに係る基地局装置２００の処理は、図１１におけるベースバンド信号処理部２０８において行われる。すなわち、ベースバンド信号処理部２０８は、ＵＬ  Ｓｃｈｅｄｕｌｉｎｇ  Ｇｒａｎｔが含まれないＭｅｓｓａｇｅ２を送信する送信部と、上記Ｍｅｓｓａｇｅ２の後に、Ｍｅｓｓａｇｅ３のためのＵＬ  Ｓｃｈｅｄｕｌｉｎｇ  Ｇｒａｎｔが含まれた物理下りリンク制御チャネルを送信する送信部と、上記ＵＬ  Ｓｃｈｅｄｕｌｉｎｇ  Ｇｒａｎｔに基づいて送信される、ランダムアクセス手順におけるＭｅｓｓａｇｅ３を受信する受信部とを備える。  本実施例においては、基地局装置２００は、Ｍｅｓｓａｇｅ３のためのＵＬ  Ｓｃｈｅｄｕｌｉｎｇ  Ｇｒａｎｔを含まないＭｅｓｓａｇｅ２を送信し、その後のサブフレームにおいて、通常の物理下りリンク制御チャネルにおけるＵＬ  Ｓｃｈｅｄｕｌｉｎｇ  Ｇｒａｎｔにより、Ｍｅｓｓａｇｅ３のためのＵＬ  Ｓｃｈｅｄｕｌｉｎｇ  Ｇｒａｎｔを、当該移動局１００ｎに対して送信することにより、実現される。【０１６５】
以下では、ランダムアクセス手順における３つ目の手順であるＳｃｈｅｄｕｌｅｄ  Ｔｒａｎｓｍｉｓｓｉｏｎの手順に関して、さらに詳細に説明を行う。【０１６６】
１８０２において、基地局装置２００は、Ｍｅｓｓａｇｅ２に関するＤＬ  Ｓｃｈｅｄｕｌｉｎｇ  Ｇｒａｎｔを物理下りリンク制御チャネルにより送信し、かつ、同じサブフレーム内の下りリンクの共有チャネルを用いてＭｅｓｓａｇｅ２を移動局に送信する。そして、移動局１００ｎは、物理下りリンク制御チャネルにおける上記Ｍｅｓｓａｇｅ２に関するＤＬ  Ｓｃｈｅｄｕｌｉｎｇ  Ｇｒａｎｔを受信し、かつ、上記Ｍｅｓｓａｇｅ２に関するＤＬ  Ｓｃｈｅｄｕｌｉｎｇ  Ｇｒａｎｔに基づき、上記Ｍｅｓｓａｇｅ２を受信する。上記Ｍｅｓｓａｇｅ２には、Ｍｅｓｓａｇｅ３に関するＵＬ  Ｓｃｈｅｄｕｌｉｎｇ  Ｇｒａｎｔが含まれない。【０１６７】
１８０４において、基地局装置２００は、所定のタイミング（例えば、サブフレーム＃ｉ＋１）において、通常の物理下りリンク制御チャネルにおけるＵＬ  Ｓｃｈｅｄｕｌｉｎｇ  Ｇｒａｎｔにより、Ｍｅｓｓａｇｅ３のためのＵＬ  Ｓｃｈｅｄｕｌｉｎｇ  Ｇｒａｎｔを送信する。ここで、上記所定のタイミングは、上記Ｍｅｓｓａｇｅ２を送信したサブフレームの次のサブフレームでもよいし、それよりもさらに後のサブフレームでもよい。【０１６８】
１８０６において、移動局１００ｎは、所定のタイミング（サブフレーム＃ｉ＋４）において、上記Ｍｅｓｓａｇｅ３のためのＵＬ  Ｓｃｈｅｄｕｌｉｎｇ  Ｇｒａｎｔに基づき、Ｍｅｓｓａｇｅ３を送信する。そして、基地局装置２００は、上記Ｍｅｓｓａｇｅ３を受信し、上記Ｍｅｓｓａｇｅ３の復号を行う。【０１６９】
以下のＭｅｓｓａｇｅ３のＨＡＲＱの処理は、そのＵＬ  Ｓｃｈｅｄｕｌｉｎｇ  Ｇｒａｎｔとして、通常の物理下りリンク制御チャネルにおけるＵＬ  Ｓｃｈｅｄｕｌｉｎｇ  Ｇｒａｎｔを使用しているため、適用されるＨＡＲＱの処理は、通常の上りリンクの共有チャネルのＨＡＲＱの処理と同等であるため、その説明を省略する。【０１７０】
また、上述した図２２においては、ＨＡＲＱのプロセス数が６である場合を示したが、ＨＡＲＱのプロセス数が６以外の値、例えば、８の場合にも、同様の方法を適用することが可能である。【０１７１】
このように、Ｍｅｓｓａｇｅ３のＵＬ  Ｓｃｈｅｄｕｌｉｎｇ  Ｇｒａｎｔを、Ｍｅｓｓａｇｅ２の後のサブフレームにおける、通常の物理下りリンク制御チャネルにおけるＵＬ  Ｓｃｈｅｄｕｌｉｎｇ  Ｇｒａｎｔを用いて送信することにより、効率の良い、オーバヘッドの少ないＭｅｓｓａｇｅ３のＨＡＲＱを実現することができる。【０１７２】
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。【０１７３】
すなわち、本発明はここでは記載していない様々な実施形態等を含むことは勿論である。従って、本発明の技術的範囲は上記の説明から妥当な特許請求の範囲に係る発明特定事項によってのみ定められるものである。【０１７４】
説明の便宜上、本発明を幾つかの実施例に分けて説明したが、各実施例の区分けは本発明に本質的ではなく、２以上の実施例が必要に応じて使用されてよい。発明の理解を促すため具体的な数値例を用いて説明したが、特に断りのない限り、それらの数値は単なる一例に過ぎず適切な如何なる値が使用されてよい。【０１７５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。【０１７６】
本国際出願は、２００７年２月５日に出願した日本国特許出願２００７−０２６１８５号に基づく優先権を主張するものであり、２００７−０２６１８５号の全内容を本国際出願に援用する。
【図１】
2008096627.tif 000003
【図２】
2008096627.tif 000004
【図３】
2008096627.tif 000005
【図４】
2008096627.tif 000006
【図５】
2008096627.tif 000007
【図６】
2008096627.tif 000008
【図７】
2008096627.tif 000009
【図８】
2008096627.tif 000010
【図９】
2008096627.tif 000011
【図１０】
2008096627.tif 000012
【図１１】
2008096627.tif 000013
【図１２】
2008096627.tif 000014
【図１３】
2008096627.tif 000015
【図１４】
2008096627.tif 000016
【図１５】
2008096627.tif 000017
【図１６】
2008096627.tif 000018
【図１７】
2008096627.tif 000019
【図１８】
2008096627.tif 000020
【図１９】
2008096627.tif 000021
【図２０】
2008096627.tif 000022
【図２１】
2008096627.tif 000023
【図２２】
2008096627.tif 000024
【国際調査報告】
2008096627.tif 000025
2008096627.tif 000026
2008096627.tif 000027
2008096627.tif 000028
2008096627.tif 000029
2008096627.tif 000030
2008096627.tif 000031
2008096627.tif 000032